(57)【特許請求の範囲】
【請求項１】
回路を備えるネットワークノード（１１５）であって、前記回路は、
時間リソース設定を決定することであって、前記時間リソース設定が、第１キャリア上の第１セルと無線デバイス（１１０）との間の第１信号を動作させるための第１時間リソースと、前記第１キャリア上の前記第１セルと前記無線デバイス（１１０）との間の第２信号を動作させるための第２時間リソースと、を含み、前記時間リソース設定が以下のいずれかを含む、決定することと：  
時間において互いに重なり合わない前記第２時間リソースの隣の前記第１時間リソース；および
時間において互いに少なくとも部分的に重なり合う前記第２時間リソースの隣の前記第１時間リソース；
前記第１時間リソースにおいて前記第１信号を受信し、かつ、前記第２時間リソースにおいて前記第２信号を受信することであって、前記第１時間リソースおよび前記第２時間リソースが同じ最大出力電力パラメータに基づいて送信されたものであり、前記同じ最大出力電力パラメータが前記時間リソース設定に基づくものである、受信することと、を行うよう構成されるネットワークノード（１１５）。
【請求項２】
前記第１時間リソースおよび前記第２時間リソースが異なる時間長を有する請求項１に記載のネットワークノード（１１５）。
【請求項３】
前記同じ最大出力電力パラメータが第１時間リソースの時間長および第２時間リソースの時間長に基づくものである請求項１に記載のネットワークノード（１１５）。
【請求項４】
前記第１時間リソースおよび前記第２時間リソースはそれぞれ１ｍｓより小さい短縮時間リソースであり、それらはサブフレームに含まれ、前記サブフレームは各スロットが０．５ｍｓである二つのスロットを有する請求項１に記載のネットワークノード（１１５）。
【請求項５】
前記第１時間リソースが前記第２時間リソースに時間的に後続する請求項１に記載のネットワークノード（１１５）。
【請求項６】
前記第１時間リソースおよび前記第２時間リソースが共通の復調参照信号、ＤＭＲＳ、を有する請求項１に記載のネットワークノード（１１５）。
【請求項７】
前記第１時間リソースは、２つの直交周波数分割多重（ＯＦＤＭ）シンボルと３つのＯＦＤＭシンボルと４つのＯＦＤＭシンボルと７つのＯＦＤＭシンボルとからなるグループからとられたひとつを含む請求項１に記載のネットワークノード（１１５）。
【請求項８】
ネットワークノード（１１５）の方法であって、前記方法は、
時間リソース設定を決定することであって、前記時間リソース設定が、第１キャリア上の第１セルと無線デバイスとの間の第１信号を動作させるための第１時間リソースと、前記第１キャリア上の前記第１セルと前記無線デバイスとの間の第２信号を動作させるための第２時間リソースと、を含み、前記時間リソース設定が以下のいずれかを含む、決定すること（ステップ３０２）と：  
時間において互いに重なり合わない前記第２時間リソースの隣の前記第１時間リソース；および
時間において互いに少なくとも部分的に重なり合う前記第２時間リソースの隣の前記第１時間リソース；
前記第１時間リソースにおいて前記第１信号を受信し、かつ、前記第２時間リソースにおいて前記第２信号を受信することであって、前記第１時間リソースおよび前記第２時間リソースが同じ最大出力電力パラメータを用いて送信されたものであり、前記同じ最大出力電力パラメータが前記時間リソース設定に基づくものである、受信すること（ステップ３０４）と、を含む方法。
【請求項９】
前記第１時間リソースおよび前記第２時間リソースが異なる時間長を有する請求項８に記載の方法。
【請求項１０】
前記同じ最大出力電力パラメータが第１時間リソースの時間長および第２時間リソースの時間長に基づくものである請求項８に記載の方法。
【請求項１１】
前記第１時間リソースおよび前記第２時間リソースはそれぞれ１ｍｓより小さい短縮時間リソースであり、それらはサブフレームに含まれ、前記サブフレームは各スロットが０．５ｍｓである二つのスロットを有する請求項８に記載の方法。
【請求項１２】
前記第１時間リソースが前記第２時間リソースに時間的に後続する請求項８に記載の方法。
【請求項１３】
前記第１時間リソースおよび前記第２時間リソースが共通の復調参照信号、ＤＭＲＳ、を有する請求項８に記載の方法。
【請求項１４】
前記第１時間リソースは、２つの直交周波数分割多重（ＯＦＤＭ）シンボルと３つのＯＦＤＭシンボルと４つのＯＦＤＭシンボルと７つのＯＦＤＭシンボルとからなるグループからとられたひとつを含む請求項８に記載の方法。
【請求項１５】
回路を備える無線デバイス（１１０）であって、前記回路は、
少なくとも２つの時間リソースにおいて時間リソース設定に基づいて信号を送信するために用いられるべき同じ最大出力電力パラメータを決定することであって、前記時間リソース設定が、第１キャリア上の第１セルと前記無線デバイス（１１０）との間の第１信号を動作させるための第１時間リソースと、前記第１キャリア上の前記第１セルと前記無線デバイス（１１０）との間の第２信号を動作させるための第２時間リソースと、を含み、前記時間リソース設定が以下のいずれかを含む、決定することと：  
時間において互いに重なり合わない前記第２時間リソースの隣の前記第１時間リソース；および
時間において互いに少なくとも部分的に重なり合う前記第２時間リソースの隣の前記第１時間リソース；
決定された前記同じ最大出力電力パラメータを用いて、前記第１時間リソースにおいて前記第１信号を送信し、前記第２時間リソースにおいて前記第２信号を送信することと、を行うよう構成される無線デバイス（１１０）。
【請求項１６】
前記同じ最大出力電力パラメータが第１時間リソースの時間長および第２時間リソースの時間長に基づくものである請求項１５に記載の無線デバイス（１１０）。
【請求項１７】
前記第１時間リソースおよび前記第２時間リソースが異なる時間長を有する請求項１５に記載の無線デバイス（１１０）。
【請求項１８】
前記第１時間リソースおよび前記第２時間リソースはそれぞれ１ｍｓより小さい短縮時間リソースであり、それらはサブフレームに含まれ、前記サブフレームは各スロットが０．５ｍｓである二つのスロットを有する請求項１５に記載の無線デバイス（１１０）。
【請求項１９】
前記第１時間リソースが前記第２時間リソースに時間的に後続する請求項１５に記載の無線デバイス（１１０）。
【請求項２０】
前記第１時間リソースおよび前記第２時間リソースが共通の復調参照信号、ＤＭＲＳ、を有する請求項１５に記載の無線デバイス（１１０）。
【請求項２１】
前記第１時間リソースは、２つの直交周波数分割多重（ＯＦＤＭ）シンボルと３つのＯＦＤＭシンボルと４つのＯＦＤＭシンボルと７つのＯＦＤＭシンボルとからなるグループからとられたひとつを含む請求項１５に記載の無線デバイス（１１０）。
【請求項２２】
無線デバイス（１１０）の方法であって、前記方法は、
少なくとも２つの時間リソースにおいて時間リソース設定に基づいて信号を送信するために用いられるべき同じ最大出力電力パラメータを決定することであって、前記時間リソース設定が、第１キャリア上の第１セルと前記無線デバイス（１１０）との間の第１信号を動作させるための第１時間リソースと、前記第１キャリア上の前記第１セルと前記無線デバイスとの間の第２信号を動作させるための第２時間リソースと、を含み、前記時間リソース設定が以下のいずれかを含む、決定すること（ステップ６０２）と：  
時間において互いに重なり合わない前記第２時間リソースの隣の前記第１時間リソース；および
時間において互いに少なくとも部分的に重なり合う前記第２時間リソースの隣の前記第１時間リソース；
決定された前記同じ最大出力電力パラメータを用いて、前記第１時間リソースにおいて前記第１信号を送信し、前記第２時間リソースにおいて前記第２信号を送信すること（ステップ６０４）と、を含む方法。
【請求項２３】
前記同じ最大出力電力パラメータが第１時間リソースの時間長および第２時間リソースの時間長に基づくものである請求項２２に記載の方法。
【請求項２４】
前記第１時間リソースおよび前記第２時間リソースが異なる時間長を有する請求項２２に記載の方法。
【請求項２５】
前記第１時間リソースおよび前記第２時間リソースはそれぞれ１ｍｓより小さい短縮時間リソースであり、それらはサブフレームに含まれ、前記サブフレームは各スロットが０．５ｍｓである二つのスロットを有する請求項２２に記載の方法。
【請求項２６】
前記第１時間リソースが前記第２時間リソースに時間的に後続する請求項２２に記載の方法。
【請求項２７】
前記第１時間リソースおよび前記第２時間リソースが共通の復調参照信号、ＤＭＲＳ、を有する請求項２２に記載の方法。
【請求項２８】
前記第１時間リソースは、２つの直交周波数分割多重（ＯＦＤＭ）シンボルと３つのＯＦＤＭシンボルと４つのＯＦＤＭシンボルと７つのＯＦＤＭシンボルとからなるグループからとられたひとつを含む請求項２２に記載の方法。
【請求項２９】
時間リソース設定を決定するよう構成された決定モジュールであって、前記時間リソース設定が、第１キャリア上の第１セルと無線デバイス（１１０）との間の第１信号を動作させるための第１時間リソースと、前記第１キャリア上の前記第１セルと前記無線デバイス（１１０）との間の第２信号を動作させるための第２時間リソースと、を含み、前記時間リソース設定が以下のいずれかを含む、決定モジュール（４２０）と：  
時間において互いに重なり合わない前記第２時間リソースの隣の前記第１時間リソース；および
時間において互いに少なくとも部分的に重なり合う前記第２時間リソースの隣の前記第１時間リソース；
前記第１時間リソースにおいて前記第１信号を受信し、かつ、前記第２時間リソースにおいて前記第２信号を受信するよう構成された受信モジュールであって、前記第１時間リソースおよび前記第２時間リソースが同じ最大出力電力パラメータに基づいて送信されたものであり、前記同じ最大出力電力パラメータが前記時間リソース設定に基づくものである、受信モジュール（４３０）と、を備えるネットワークノード（１１５）。
【請求項３０】
少なくとも２つの時間リソースにおいて時間リソース設定に基づいて信号を送信するために用いられるべき同じ最大出力電力パラメータを決定するＰ１決定モジュールであって、前記時間リソース設定が、第１キャリア上の第１セルと前記無線デバイス（１１０）との間の第１信号を動作させるための第１時間リソースと、前記第１キャリア上の前記第１セルと前記無線デバイス（１１０）との間の第２信号を動作させるための第２時間リソースと、を含み、前記時間リソース設定が以下のいずれかを含む、Ｐ１決定モジュール（７２０）と：  
時間において互いに重なり合わない前記第２時間リソースの隣の前記第１時間リソース；および
時間において互いに少なくとも部分的に重なり合う前記第２時間リソースの隣の前記第１時間リソース；
決定された前記同じ最大出力電力パラメータを用いて、前記第１時間リソースにおいて前記第１信号を送信し、前記第２時間リソースにおいて前記第２信号を送信するよう構成された送信モジュール（７３０）と、を備える無線デバイス（１１０）。
【発明の詳細な説明】
【技術分野】
【０００１】
本開示は一般に、無線通信に関し、より詳細には、短縮ＴＴＩパターンにおける連続送信時間間隔（ＴＴＩｓ）の設定出力電力を導出することに関する。
【背景技術】
【０００２】
ＬＴＥはダウンリンクにおいてＯＦＤＭを、アップリンクにおいてＤＦＴ拡散ＯＦＤＭを、それぞれ用いる。時間ドメインではＬＴＥダウンリンク送信は１０ｍｓの無線フレームに編成され、各無線フレームは長さＴｓｕｂｆｒａｍｅ＝１ｍｓの１０個の等しいサイズのサブフレームからなる。ＬＴＥ時間ドメイン構造の例を図１に示す。
【０００３】
ＬＴＥにおけるリソース割り当ては、典型的にはリソースブロック（ＲＢ）で記述される。リソースブロックは時間ドメインにおいてひとつのスロット（０．５ｍｓ）に対応し、周波数ドメインにおいて１２個の連続的なサブキャリアに対応する。時間方向における２つの隣接するリソースブロックのペア（１．０ｍｓ）は、リソースブロックペアとして知られ得る。これをＴＴＩ（Ｔｒａｎｓｍｉｓｓｉｏｎ  Ｔｉｍｅ  Ｉｎｔｅｒｖａｌ）とも呼ぶ。
【０００４】
ダウンリンク送信は、動的にスケジュールされる。例えば、各サブフレームにおいて、基地局は、どの端末にデータを伝送するかについての、および、そのデータがどのリソースブロックで伝送されるかについての制御情報を現在のダウンリンクサブフレームにおいて伝送する。この制御シグナリングは典型的には各サブフレームの第１の１つ、２つ、３つまたは４つのＯＦＤＭシンボルで送信され、その数ｎ＝１、２、３または４は制御領域の第１のシンボルで送信される物理ＣＦＩチャネル（ＰＣＦＩＣＨ）によって示される制御フォーマットインジケータ（ＣＦＩ）として知られている。制御領域はまた、物理ダウンリンク制御チャネル（ＰＤＣＣＨ）と、場合によっては、アップリンク送信のためのＡＣＫ／ＮＡＣＫを運ぶ物理ＨＡＲＱ指示チャネル（ＰＨＩＣＨ）とを含む。
【０００５】
ダウンリンクサブフレームはまた、受信機に知られ、例えば制御情報のコヒーレント復調のために使用される共通参照シンボル（ＣＲＳ）を含む。制御としてＣＦＩ＝３のＯＦＤＭシンボルを伴うダウンリンクシステムが図２に示されている。Ｒｅｌ−８のＴＴＩでは、ＤＬ送信のそのような部分の１つは１つのＴＴＩと呼ばれる。
【０００６】
アップリンク電力制御は、最新の通信システムで採用されてきた無線リソース管理において重要な役割を果たす。それは、システムの他のユーザへの干渉を最小にしつつ端末のバッテリ寿命を最大にする必要性と、リンク品質を維持する必要性と、をバランスさせる。
【０００７】
ＬＴＥでは、電力制御の目的はＳＣ−ＦＤＭＡシンボルにわたる平均電力を決定することであり、それは、共通チャネルおよび専用チャネル（ＰＵＣＣＨ／ＰＵＳＣＨ／ＳＲＳ）の両方に適用される。以下に開示される式１に定式化されるように、開ループ電力制御と閉ループ電力制御の組み合わせが採用された：
＊開ループ電力制御：無線デバイス（ＵＥ）は、経路損失推定値および、セル内のすべてのＵＥに共通の公称電力レベルとＵＥ特定オフセットとを備えるｅＮｏｄｅＢ制御半静的ベースレベル（Ｐ０）、に基づいて、基本開ループセットポイントを算出する；
＊閉ループ電力制御：ｅＮｏｄｅＢはセットポイントに対する動的調整を更新し、無線デバイス（ＵＥ）は、ＴＰＣコマンドに応じて送信電力を調整する。また、電力制御を、アップリンク送信に使用される変調および符号化スキームにつなげることも可能である。
0006756042.tif 000002
【０００８】
アップリンク電力制御は、ＰＵＳＣＨおよびＰＵＣＣＨの両方で使用される。この目的は、モバイル端末が十分に大きいが大きすぎない電力で送信することを保証することであり、大きすぎる電力はネットワーク内の他のユーザへの干渉を増大させうるからである。両方の場合において、閉ループメカニズムと組み合わされたパラメータ化された開ループが使用される。概して、開ループ部分は、閉ループコンポーネントがその辺りで動作する動作点を設定するために使用される。ユーザプレーンおよび制御プレーンのための異なるパラメータ（ターゲットおよび「部分補償係数」）が使用される。
【０００９】
より詳細にはＰＵＳＣＨの場合、モバイル端末は以下の式に従って出力電力を設定する：
0006756042.tif 000003
ここで、ＰＭＡＸｃはモバイル端末の最大送信電力であり、ＭＰＵＳＣＨｃ（ｉ）は割り当てられたリソースブロックの数であり、ＰＯ＿ＰＵＳＣＨｃ（ｊ）およびαｃは目標受信電力を制御し、ＰＬｃは推定経路損失であり、ΔＴＦｃ（ｉ）はトランスポートフォーマット補償子であり、ｆｃ（ｉ）はＵＥ特有のオフセットまたは「閉ループ補正」である（関数ｆｃは、絶対オフセットまたは累積オフセットのいずれかを表すことができる）。インデクスｃは、コンポーネントキャリアに番号を付け、キャリアアグリゲーションにのみ関連する。
【００１０】
閉ループ電力制御は、累積または絶対の２つの異なるモードで動作することができる。両方のモードは、ダウンリンク制御シグナリングの一部であるコマンド、ＴＰＣに基づく。絶対電力制御が使用される場合、閉ループ補正機能は、新しい電力制御コマンドが受信されるたびにリセットされる。累積電力制御が使用される場合、電力制御コマンドは、前に累積された閉ループ補正に関するデルタ補正である。累積電力制御コマンドは
ｆｃ（ｉ）＝ｆｃ（ｉ−１）＋δＰＵＳＣＨｃ（ｉ−ＫＰＵＳＣＨ）
として定義され、ここでδＰＵＳＣＨｃは現在のサブフレームｉの前のＫＰＵＳＣＨサブフレームで受信されたＴＰＣコマンドであり、ｆｃ（ｉ−１）は累積電力制御値である。絶対電力制御はメモリを有さない、すなわち、ｆｃ（ｉ）＝δＰＵＳＣＨｃ（ｉ−ＫＰＵＳＣＨ）。
【００１１】
ＰＵＣＣＨ電力制御は原則として、ＰＵＣＣＨが完全な経路損失補償のみを有する、すなわち、α＝１の場合のみをカバーすることを除いて、同じ設定可能なパラメータを有する。
【００１２】
典型的には、設定された送信電力ＰＣＭＡＸは、次に記載されるように、ｗｗｗ．３ＧＰＰ．ｏｒｇで公衆に利用可能な３ＧＰＰ  ＴＳ  ３６．１０１のセクション６．２．５において定義される：
６．２．５  設定された送信電力
ＵＥはサービングセルｃ用の、自身の設定された最大出力電力ＰＣＭＡＸ，ｃを設定することを許可される。設定された最大出力電力ＰｃＭＡＸ，ｃは以下の範囲内に設定される：
0006756042.tif 000004
と
0006756042.tif 000005
ここで、
−  ＰＥＭＡＸ，ｃは、ｗｗｗ．３ＧＰＰ．ｏｒｇで公衆に利用可能な３ＧＰＰ  ＴＳ  ３６．３３１において定義される、サービングセルｃ用のＩＥ  Ｐ−Ｍａｘによって与えられる値である；
−  ＰＰｏｗｅｒＣｌａｓｓは表６．２．２−１に規定された許容誤差を考慮しないときの、表６．２．２−１に規定された最大ＵＥ電力である；
−  サービングセルｃ用のＭＰＲｃおよびＡ−ＭＰＲｃは、それぞれ、サブクローズ６．２．３およびサブクローズ６．２．４で規定される；
−  ΔＴＩＢ，ｃは、表６．２．５−２に規定されているようなサービングセルｃに対する追加の許容度である；そうでなければ、ΔＴＩＢ，ｃ＝０ｄＢである；
−  表６．２．２−１の注２が適用される場合、ΔＴＣ，ｃ＝１．５ｄＢ；
−  表６．２．２−１の注２が適用されない場合、ΔＴＣ，ｃ＝０ｄＢ。
Ｐ−ＭＰＲｃは、以下について許容される最大出力電力低減である
ａ）  ３ＧＰＰ  ＲＡＮ規格の範囲外のシナリオについて、適用可能な電磁エネルギ吸収要件の遵守を確実にし、複数のＲＡＴ上での同時送信の場合の望ましくない放射／自己防御要件に対処すること；
ｂ）  より低い最大出力電力を要求するような要件に対処するために近接検出が用いられる場合に、適用可能な電磁エネルギ吸収要件の遵守を確実にすること。
ＵＥは上記の場合にのみ、サービングセルｃにＰ−ＭＰＲｃを適用する。ＵＥが実施する適合性試験では、Ｐ−ＭＰＲは０ｄＢとする
注釈１：Ｐ−ＭＰＲｃは、ＵＥが利用可能な最大出力送信電力をｅＮＢに報告することができるように、ＰＣＭＡＸ，ｃ方程式に導入された。この情報は、スケジューリング決定のためにｅＮＢによって使用可能である。
注釈２：Ｐ−ＭＰＲｃは、選択されたＵＬ伝送パスの最大アップリンク性能に影響を及ぼし得る。
各サブフレームについて、サービングセルｃのＰＣＭＡＸ＿Ｌ，ｃはスロット毎に評価され、そのスロット内の伝送のなかでの最小の値によって与えられ、次いで、２つのスロットのなかでの最小のＰＣＭＡＸ＿Ｌ，ｃはサブフレーム全体に適用される。ＰＰｏｗｅｒＣｌａｓｓは、いかなる期間においても、ＵＥによって超過されてはならない。
測定された設定最大出力電力ＰＵＭＡＸ，ｃは、以下の範囲内にあるものとする：
ＰＣＭＡＸ＿Ｌ，ｃ−ＭＡＸ｛ＴＬ，Ｔ（ＰＣＭＡＸ＿Ｌ，ｃ）｝≦ＰＵＭＡＸ，ｃ≦ＰＣＭＡＸ＿Ｈ，ｃ＋Ｔ（ＰＣＭＡＸ＿Ｈ，ｃ）
ここで、Ｔ（ＰＣＭＡＸ，ｃ）は以下の公差の表によって定義され、ＰＣＭＡＸ＿Ｌ，ｃおよびＰＣＭＡＸ＿Ｈ，ｃに別々に適用され、一方、ＴＬは適用可能動作帯域についての表６．２．２−１におけるより低い公差の絶対値である。
0006756042.tif 000006
【００１３】
１つのＥ−ＵＴＲＡ帯域に割り当てられたアップリンクを伴う帯域間キャリアアグリゲーション構成をサポートするＵＥについて、ΔＴＩＢ，ｃは、表６．２．５−２において適用可能な帯域について定義される。
【００１４】
短いサブフレームでのレイテンシ低減
パケットデータレイテンシは、ベンダ、オペレータ、およびエンドユーザが（速度テストアプリケーションを介して）定期的に測定するパフォーマンスメトリックの１つである。レイテンシ測定は無線アクセスネットワークシステムのライフタイムのすべてのフェーズにおいて行われ、これは、新しいソフトウエアリリースまたはシステムコンポーネントを検証するときや、システムを配備するときや、システムが商業的に動作しているときに行われる。
【００１５】
３ＧＰＰ  ＲＡＴの以前の世代よりも短いレイテンシは、ロングタームエボリューション（ＬＴＥ）の設計を導いた１つのパフォーマンスメトリックであった。ＬＴＥはまた、現在、エンドユーザによって、以前の世代の移動無線技術よりも、インターネットへのより速いアクセスおよびより短いデータレイテンシを提供するシステムであると認識されている。
【００１６】
パケットデータレイテンシは、システムの認識される応答性にとって重要であるだけでなく、システムのスループットに間接的に影響を及ぼすパラメータでもある。ＨＴＴＰ／ＴＣＰは、今日インターネット上で使用されている主要なアプリケーションおよびトランスポートレイヤプロトコルスイートである。ＨＴＴＰアーカイブ（ｈｔｔｐ：／／ｈｔｔｐａｒｃｈｉｖｅ．ｏｒｇ／ｔｒｅｎｄｓ．ｐｈｐ）によると、インターネットを介したＨＴＴＰベースのトランザクションの典型的なサイズは、数十キロバイトから１メガバイトまでの範囲内にある。このサイズ範囲では、ＴＣＰスロースタート期間はパケットストリームの全トランスポート期間のかなりの部分である。ＴＣＰスロースタートの間、パフォーマンスはレイテンシ制限される。したがって、このタイプのＴＣＰベースのデータトランザクションについて、平均スループットを改善するための改善されたレイテンシをかなり容易に示すことができる。
【００１７】
無線リソース効率は、レイテンシの低減によって良い影響を受ける可能性がある。より低いパケットデータレイテンシは、特定の遅延範囲内で可能な送信の数を増加させることができ、したがって、データ伝送についてより高いブロック誤り率（ＢＬＥＲ）ターゲットを用いることで、無線リソースを解放してシステムの容量を潜在的に改善することができる。
【００１８】
パケットレイテンシの低下に関して対処すべき１つの領域は、送信時間間隔（ＴＴＩ）の長さに対処することによる、データおよび制御シグナリングのトランスポート時間の低下である。ＬＴＥリリース８では、ＴＴＩは、長さ１ミリ秒の１つのサブフレーム（ＳＦ）に対応する。１つのそのような１ｍｓ  ＴＴＩは、通常のサイクリックプレフィックスの場合には１４個のＯＦＤＭまたはＳＣ−ＦＤＭＡシンボルを使用し、拡張サイクリックプレフィックスの場合には１２個のＯＦＤＭまたはＳＣ−ＦＤＭＡシンボルを使用することによって構築される。ＬＴＥリリース１３では、ＬＴＥリリース８のＴＴＩよりもはるかにより短いＴＴＩを伴う送信を指定することを目的とする研究項目が、２０１５年中に開始されている。より短いＴＴＩは、任意の持続時間を有すると決定可能であり、１ｍｓのＳＦ内のいくつかのＯＦＤＭまたはＳＣ−ＦＤＭＡシンボル上のリソースを備えることができるが、スロットサイズは変わらないままである、すなわち、スロットサイズは０．５ｍｓに等しい。一例として、短いＴＴＩの持続時間は０．５ｍｓ、すなわち、通常のサイクリックプレフィックスを伴う場合の７個のＯＦＤＭシンボルまたはＳＣ−ＦＤＭＡシンボルであってもよい。別の例として、短いＴＴＩの持続時間は、２シンボルであってもよい。
【００１９】
図２に示すように、ＴＴＩ長は１４個のＯＦＤＭシンボルからなる。短縮ＴＴＩの場合、ＴＴＩ長を、２−ＯＦＤＭシンボル、４−ＯＦＤＭシンボル、または７−ＯＦＤＭシンボルに低減することができる。これらは以下のように表される：それぞれ、２−ＯＳ  ｓＴＴＩ、４−ＯＳ  ｓＴＴＩ、７−ＯＳ  ｓＴＴＩ。
【００２０】
短縮ＴＴＩは、ＤＬおよびＵＬなど、異なる方向で異なる値で使用することができる。例えば、同じセル内で、ＤＬは２−ＯＳ  ｓＴＴＩを使用することができ、一方、ＵＬは４−ＯＳ  ｓＴＴＩを使用することができる。
【００２１】
ＦＳ１、ＦＳ２、およびＦＳ３などの異なるフレーム構造では、使用されるｓＴＴＩも異なる可能性がある。図１の時間ドメイン構造はＦＳ１に関する。２−ＯＳ、４ＯＳおよび７  ＯＳ  ＴＴＩはＦＳ１について利用可能である。ＴＤＤに使用されるＦＳ２の場合、７−ＯＳ  ｓＴＴＩは短縮ＴＴＩモードの１つである。ＴＴＩ持続時間のいくつかの例が図３および４に示される。図３は、ｗｗｗ．３ＧＰＰ．ｏｒｇで公衆に利用可能なＲ１−１６１１０５５における合意にしたがう、ＵＬについてサポートされる例示的な７シンボルｓＴＴＩ構造を示す。４シンボルＵＬ  ｓＴＴＩがサポートされる場合、ｗｗｗ．３ＧＰＰ．ｏｒｇで公衆に利用可能なＲ１−１６１１０５５の合意によると図４に示されるｓＴＴＩ構造が採用された。
【００２２】
図５は、ＵＬ  ＴＴＩオプションの一例を示す。
上述の例は異なるＴＴＩ長についての提案を示す。２−ＯＳ  ｓＴＴＩは２つのオプションのうちのひとつを有しうる。ＵＬ  ｓＴＴＩの観点からは、以下が観察される：
●  ＵＬについて可能な３つの異なるＴＴＩ長がある。これらのうち、異なるパターンが２ＯＳ  ＴＴＩについて可能である。
●  高速ＵＬグラントにおけるＴＴＩ長の動的指示がなされうる（しかしながら、これは３ＧＰＰ  ＲＡＮ  ＷＧ１において議論中である）。
●  高速ＵＬグラントにおけるＤＭＲＳ位置の動的指示もまたなされうる。
●  ＴＴＩパターンのいくつかについて、ＵＥ間の共有ＤＭＲＳが可能である。いくつかのＵＥについて、これはまた、ＵＥが隣接するＴＴＩに亘ってスケジュールされた場合に２つのＴＴＩについてＤＭＲＳを送る必要があることを意味する。
【発明の概要】
【００２３】
少なくとも以下の課題を考えることができる：
現在の規格では、最小ＵＥ送信最大電力ＰＣＭＡＸ＿Ｌ，ｃはサブフレーム毎にＵＥによってスロット毎に評価される。これは、最小リソース単位が１  ＲＢであり、１ｍｓのＴＴＩ値に対応するので、理解できるものである。２つのスロットに亘る設定出力電力推定を組み合わせることで、任意のサブフレーム（またはＴＴＩ）についての最終的な設定出力電力を決定する。短縮ＴＴＩ（ｓＴＴＩ）パターンの場合、ＴＴＩ持続時間は非常に小さい（例えば、１４−＝Ｓ  ＴＴＩと比べた２−ＯＳ  ＴＴＩ）ものであってもよい。したがって、ＴＴＩおよびｓＴＴＩについて０．５ｍｓのスロットサイズは変わらないままである、すなわち、ＴＴＩを短くしても０．５ｍｓのスロットサイズは短くならないから、スロットに基づいて推定／計算される設定出力電力推定タイミングウインドウはＴＴＩ持続時間よりも大きくなりうる。図６に、２−ＯＳ  ＴＴＩ持続時間の例が示される。
【００２４】
これに加えて、二つの連続するＴＴＩが互いに重なり合う場合が生じうる。そのような一例が図７および図８に示される。異なるＴＴＩ組み合わせの間で重なり合うＤＭＲＳもまた生じるような他の場合もある。図７は、重なり合うシンボルが共通ＤＭＲＳシンボルである、２−ＯＳ  ＴＴＩ長の重なり合うＴＴＩを示す。図８は、重なり合うシンボルが共通ＤＭＲＳシンボルである、４−ＯＳ  ＴＴＩ長の重なり合うＴＴＩを示す。
【００２５】
短縮ＴＴＩフィーチャの導入で、ＵＥは２つの連続するＴＴＩに亘ってスケジュールされうる。この場合、２つの連続するＴＴＩのシンボルのうちのひとつが両方のＴＴＩについて共通のものでありうる。そのようなＴＴＩ構成についてのＰｃｍａｘを推定するためのルールはない。
【００２６】
短縮ＴＴＩパターンにおける連続ＴＴＩについての設定出力電力を導出するための態様が開示される。例えば、ある実施の形態では、スロットベースで設定出力電力を導出する代わりに、ひとつ以上のＴＴＩについての設定出力電力は、そのひとつ以上のＴＴＩに対応する時間ウインドウに基づいて導出される。
【００２７】
第１の態様によると、短縮ＴＴＩパターンにおける連続ＴＴＩについて設定出力電力を導出するための無線デバイスの方法が提供される。この方法は以下を含む：
＊  第１キャリア（Ｆ１）上の第１セル（ｃｅｌｌ１）とＵＥとの間の第１信号（Ｓ１）を動作させるために使用される第１ＴＴＩ（ＴＴＩ１）と、第１キャリア（Ｆ１）上の第１セル（ｃｅｌｌ１）との間の第２信号（Ｓ２）を動作させるために使用される第２ＴＴＩ（ＴＴＩ２）と、を含むＴＴＩ設定（ＴＴＩ−ＣＯＮＦ）を決定することであって、ＴＴＩ−ＣＯＮＦが、時間において互いに重なり合わない隣り合うＴＴＩ１とＴＴＩ２とを含む第１ＴＴＩ設定（ＣＯＮＦ１）と、時間において互いに少なくとも部分的に重なり合う隣り合うＴＴＩ１とＴＴＩ２とを含む第２ＴＴＩ設定（ＣＯＮＦ２）と、のうちのひとつである、決定すること。
＊  ２つ以上の連続ＴＴＩにおいて、決定されたＴＴＩ−ＣＯＮＦに基づいて信号を送信するためにＵＥによって用いられるべき単一の最大出力電力パラメータ（Ｐ１）を決定すること。
＊  決定された最大出力電力パラメータ（Ｐ１）に基づいて、ＴＴＩ−ＣＯＮＦにしたがって、２つ（またはそれより多く）の連続ＴＴＩにおいてｃｅｌｌ１に信号Ｓ１およびＳ２（またはそれより多くの信号）を送信すること。
＊  任意選択で、方法はさらに、ひとつ以上の無線動作タスク（例えば、測定など）のために、決定されたＰ１を使用することを含む。
【００２８】
ＴＴＩ設定の決定は、例えば事前定義されたルールに基づいてＴＴＩ設定を取得すること、および／またはネットワークノードまたは他の無線デバイスからそれを受信すること、を含んでもよい。
【００２９】
第２の態様によると、短縮ＴＴＩパターンにおける連続ＴＴＩについて設定出力電力を導出するための無線デバイスが提供される。無線デバイスは以下を行うよう動作可能である：
＊  第１キャリア（Ｆ１）上の第１セル（ｃｅｌｌ１）とＵＥとの間の第１信号（Ｓ１）を動作させるために使用される第１ＴＴＩ（ＴＴＩ１）と、第１キャリア（Ｆ１）上の第１セル（ｃｅｌｌ１）との間の第２信号（Ｓ２）を動作させるために使用される第２ＴＴＩ（ＴＴＩ２）と、を含むＴＴＩ設定（ＴＴＩ−ＣＯＮＦ）を決定すること。
＊  ＴＴＩ−ＣＯＮＦが、時間において互いに重なり合わない隣り合うＴＴＩ１とＴＴＩ２とを含む第１ＴＴＩ設定（ＣＯＮＦ１）と、時間において互いに少なくとも部分的に重なり合う隣り合うＴＴＩ１とＴＴＩ２とを含む第２ＴＴＩ設定（ＣＯＮＦ２）と、のうちのひとつである。
＊  ２つ以上の連続ＴＴＩにおいて、決定されたＴＴＩ−ＣＯＮＦに基づいて信号を送信するためにＵＥによって用いられるべき単一の最大出力電力パラメータ（Ｐ１）を決定すること。
＊  決定された最大出力電力パラメータ（Ｐ１）に基づいて、ＴＴＩ−ＣＯＮＦにしたがって、２つ（またはそれより多く）の連続ＴＴＩにおいてｃｅｌｌ１に信号Ｓ１およびＳ２（またはそれより多くの信号）を送信すること。
＊  任意選択で、インストラクションはさらに、プロセッサに、ひとつ以上の無線動作タスク（例えば、測定など）のために、決定されたＰ１を使用させる。
【００３０】
無線デバイスはさらに、例えば事前定義されたルールに基づいてＴＴＩ設定を取得する、および／またはネットワークノードまたは他の無線デバイスからそれを受信するように動作可能であってもよい。
【００３１】
第３の態様によると、短縮ＴＴＩパターンにおける連続ＴＴＩについて設定出力電力を導出するためのネットワークノードの方法が提供される。この方法は以下を含む：
＊  第１キャリア（Ｆ１）上の第１セル（ｃｅｌｌ１）と無線デバイスとの間の第１信号（Ｓ１）を動作させるために使用される第１ＴＴＩ（ＴＴＩ１）と、第１キャリア（Ｆ１）上の第１セル（ｃｅｌｌ１）との間の第２信号（Ｓ２）を動作させるために使用される第２ＴＴＩ（ＴＴＩ２）と、を含むＴＴＩ設定（ＴＴＩ−ＣＯＮＦ）で無線デバイスを設定することであって、ＴＴＩ−ＣＯＮＦが、時間において互いに重なり合わない隣り合うＴＴＩ１とＴＴＩ２とを含む第１ＴＴＩ設定（ＣＯＮＦ１）と、時間において互いに少なくとも部分的に重なり合う隣り合うＴＴＩ１とＴＴＩ２とを含む第２ＴＴＩ設定（ＣＯＮＦ２）と、のうちのひとつである、設定すること。
＊  ２つ以上の連続ＴＴＩにおいて、設定されたＴＴＩ−ＣＯＮＦに基づいて信号を送信するために無線デバイスによって用いられるべき単一の最大出力電力パラメータ（Ｐ１）を決定すること。
＊  決定された最大出力電力パラメータ（Ｐ１）に基づいて、無線デバイスから、ＴＴＩ−ＣＯＮＦにしたがって、２つ（またはそれより多く）の連続ＴＴＩにおいてｃｅｌｌ１で信号Ｓ１およびＳ２（またはそれより多くの信号）を受信すること。
＊  任意選択で、方法はさらに、ひとつ以上の動作タスクのために、受信信号および／または決定されたＰ１の値を使用することを含む。
【００３２】
第４の態様によると、短縮ＴＴＩパターンにおける連続ＴＴＩについて設定出力電力を導出するためのネットワークノードが提供される。ネットワークノードは以下を行うよう動作可能である：
＊  第１キャリア（Ｆ１）上の第１セル（ｃｅｌｌ１）と無線デバイスとの間の第１信号（Ｓ１）を動作させるために使用される第１ＴＴＩ（ＴＴＩ１）と、第１キャリア（Ｆ１）上の第１セル（ｃｅｌｌ１）との間の第２信号（Ｓ２）を動作させるために使用される第２ＴＴＩ（ＴＴＩ２）と、を含むＴＴＩ設定（ＴＴＩ−ＣＯＮＦ）で無線デバイスを設定することであって、ＴＴＩ−ＣＯＮＦが、時間において互いに重なり合わない隣り合うＴＴＩ１とＴＴＩ２とを含む第１ＴＴＩ設定（ＣＯＮＦ１）と、時間において互いに少なくとも部分的に重なり合う隣り合うＴＴＩ１とＴＴＩ２とを含む第２ＴＴＩ設定（ＣＯＮＦ２）と、のうちのいずれかである、設定すること。
＊  ２つ以上の連続ＴＴＩにおいて、設定されたＴＴＩ−ＣＯＮＦに基づいて信号を送信するために無線デバイスによって用いられるべき単一の最大出力電力パラメータ（Ｐ１）を決定すること。
＊  決定された最大出力電力パラメータ（Ｐ１）に基づいて、無線デバイスから、ＴＴＩ−ＣＯＮＦにしたがって、２つ（またはそれより多く）の連続ＴＴＩにおいてｃｅｌｌ１で信号Ｓ１およびＳ２（またはそれより多くの信号）を受信すること。
【００３３】
任意選択で、ネットワークノードはさらに、ひとつ以上の動作タスクのために、受信信号および／または決定されたＰ１の値を使用するよう動作可能である。
【００３４】
本開示の所定の態様の所定の実施の形態は、以下のうちのひとつ以上などのひとつ以上の技術的利点を提供することができる：
＊  設定送信電力に関する無線デバイスの振る舞いは短縮ＴＴＩパターンにおける２つ以上の連続ＴＴＩについて明確に定義される。
＊  方法は、ネットワークノードが、ＵＥが異なるＴＴＩ持続時間についてＴＴＩの関数として同じ最大電力を用いて信号を送信する場合に信号を受信して処理することを可能とする。
【００３５】
他の利点は、当業者には明らかであろう。特定の実施の形態は、記載された利点のすべて、いくつか、またはいずれも有さなくてもよい。
【００３６】
本開示のある態様によると、ネットワークノードが提供される。ネットワークノードは回路を含む。回路は、送信時間間隔、ＴＴＩ、設定を決定することであって、前記ＴＴＩ設定が、第１キャリア上の第１セルと無線デバイスとの間の第１信号を動作させるための第１ＴＴＩと、前記第１キャリア上の前記第１セルと前記無線デバイスとの間の第２信号を動作させるための第２ＴＴＩと、を含み、前記ＴＴＩ設定が以下のいずれかを含む、決定することを行うよう構成される：時間において互いに重なり合わない前記第２ＴＴＩの隣の前記第１ＴＴＩ；および時間において互いに少なくとも部分的に重なり合う前記第２ＴＴＩの隣の前記第１ＴＴＩ。回路はさらに、前記第１ＴＴＩにおいて前記第１信号を受信し、かつ、前記第２ＴＴＩにおいて前記第２信号を受信するよう構成され、前記第１ＴＴＩおよび前記第２ＴＴＩが最大出力電力パラメータに基づいて送信されたものであり、前記単一の最大出力電力パラメータが前記ＴＴＩ設定に基づくものである。
【００３７】
本態様のある実施の形態によると、前記第１ＴＴＩおよび前記第２ＴＴＩが異なる時間長を有する。本態様のある実施の形態によると、前記単一の最大出力電力パラメータが第１ＴＴＩの時間長および第２ＴＴＩの時間長に基づくものである。本態様のある実施の形態によると、前記第１ＴＴＩおよび前記第２ＴＴＩはそれぞれ１ｍｓより小さい短縮ＴＴＩであり、それらはサブフレームに含まれ、前記サブフレームは各スロットが０．５ｍｓである二つのスロットを有する。
【００３８】
本態様のある実施の形態によると、前記第１ＴＴＩが前記第２ＴＴＩに時間的に後続する。本態様のある実施の形態によると、前記第１ＴＴＩおよび前記第２ＴＴＩが共通の復調参照信号、ＤＭＲＳ、を有する。本態様のある実施の形態によると、前記第１ＴＴＩは、２つの直交周波数分割多重（ＯＦＤＭ）シンボルと３つのＯＦＤＭシンボルと４つのＯＦＤＭシンボルと７つのＯＦＤＭシンボルとからなるグループからとられたひとつを含む。
【００３９】
本開示のある態様によると、ネットワークノードの方法が提供される。送信時間間隔、ＴＴＩ、設定が決定される。前記ＴＴＩ設定が、第１キャリア上の第１セルと無線デバイスとの間の第１信号を動作させるための第１ＴＴＩと、前記第１キャリア上の前記第１セルと前記無線デバイスとの間の第２信号を動作させるための第２ＴＴＩと、を含み、前記ＴＴＩ設定が以下のいずれかを含む：時間において互いに重なり合わない前記第２ＴＴＩの隣の前記第１ＴＴＩ；および時間において互いに少なくとも部分的に重なり合う前記第２ＴＴＩの隣の前記第１ＴＴＩ。前記第１ＴＴＩにおいて前記第１信号が受信され、かつ、前記第２ＴＴＩにおいて前記第２信号が受信され、前記第１ＴＴＩおよび前記第２ＴＴＩが最大出力電力を用いて送信されたものであり、前記最大出力電力が前記ＴＴＩ設定に基づくものである。
【００４０】
本態様のある実施の形態によると、前記第１ＴＴＩおよび前記第２ＴＴＩが異なる時間長を有する。本態様のある実施の形態によると、前記最大出力電力が第１ＴＴＩの時間長および第２ＴＴＩの時間長に基づくものである。本態様のある実施の形態によると、前記第１ＴＴＩおよび前記第２ＴＴＩはそれぞれ１ｍｓより小さい短縮ＴＴＩであり、それらはサブフレームに含まれ、前記サブフレームは各スロットが０．５ｍｓである二つのスロットを有する。
【００４１】
本態様のある実施の形態によると、前記第１ＴＴＩが前記第２ＴＴＩに時間的に後続する。本態様のある実施の形態によると、前記第１ＴＴＩおよび前記第２ＴＴＩが共通の復調参照信号、ＤＭＲＳ、を有する。本態様のある実施の形態によると、前記第１ＴＴＩは、２つの直交周波数分割多重（ＯＦＤＭ）シンボルと３つのＯＦＤＭシンボルと４つのＯＦＤＭシンボルと７つのＯＦＤＭシンボルとからなるグループからとられたひとつを含む。
【００４２】
本開示のある態様によると、回路を含む無線デバイスが提供される。回路は、少なくとも２つの送信時間間隔、ＴＴＩ、においてＴＴＩ設定に基づいて信号を送信するために用いられるべき単一の最大出力電力パラメータを決定するよう構成され、前記ＴＴＩ設定が、第１キャリア上の第１セルと無線デバイスとの間の第１信号を動作させるための第１ＴＴＩと、前記第１キャリア上の前記第１セルと前記無線デバイスとの間の第２信号を動作させるための第２ＴＴＩと、を含み、前記ＴＴＩ設定が以下のいずれかを含む：時間において互いに重なり合わない前記第２ＴＴＩの隣の前記第１ＴＴＩ；および時間において互いに少なくとも部分的に重なり合う前記第２ＴＴＩの隣の前記第１ＴＴＩ。回路はさらに、決定された前記単一の最大出力電力パラメータを用いて、前記第１ＴＴＩにおいて前記第１信号を送信し、前記第２ＴＴＩにおいて前記第２信号を送信するよう構成される。
【００４３】
本態様のある実施の形態によると、前記単一の最大出力電力パラメータが第１ＴＴＩの時間長および第２ＴＴＩの時間長に基づくものである。本態様のある実施の形態によると、前記第１ＴＴＩおよび前記第２ＴＴＩが異なる時間長を有する。本態様のある実施の形態によると、前記第１ＴＴＩおよび前記第２ＴＴＩはそれぞれ１ｍｓより小さい短縮ＴＴＩであり、それらはサブフレームに含まれ、前記サブフレームは各スロットが０．５ｍｓである二つのスロットを有する。
【００４４】
本態様のある実施の形態によると、前記第１ＴＴＩが前記第２ＴＴＩに時間的に後続する。本態様のある実施の形態によると、前記第１ＴＴＩおよび前記第２ＴＴＩが共通の復調参照信号、ＤＭＲＳ、を有する。本態様のある実施の形態によると、前記第１ＴＴＩは、２つの直交周波数分割多重（ＯＦＤＭ）シンボルと３つのＯＦＤＭシンボルと４つのＯＦＤＭシンボルと７つのＯＦＤＭシンボルとからなるグループからとられたひとつを含む。
【００４５】
本開示のある態様によると、無線デバイスの方法が提供される。少なくとも２つの送信時間間隔、ＴＴＩ、においてＴＴＩ設定に基づいて信号を送信するために用いられるべき単一の最大出力電力パラメータが決定される。前記ＴＴＩ設定が、第１キャリア上の第１セルと無線デバイスとの間の第１信号を動作させるための第１ＴＴＩと、前記第１キャリア上の前記第１セルと前記無線デバイスとの間の第２信号を動作させるための第２ＴＴＩと、を含み、前記ＴＴＩ設定が以下のいずれかを含む：時間において互いに重なり合わない前記第２ＴＴＩの隣の前記第１ＴＴＩ；および時間において互いに少なくとも部分的に重なり合う前記第２ＴＴＩの隣の前記第１ＴＴＩ。決定された前記単一の最大出力電力パラメータを用いて、前記第１ＴＴＩにおいて前記第１信号が送信され、前記第２ＴＴＩにおいて前記第２信号が送信される。
【００４６】
本態様のある実施の形態によると、前記単一の最大出力電力パラメータが第１ＴＴＩの時間長および第２ＴＴＩの時間長に基づくものである。本態様のある実施の形態によると、前記第１ＴＴＩおよび前記第２ＴＴＩが異なる時間長を有する。本態様のある実施の形態によると、前記第１ＴＴＩおよび前記第２ＴＴＩはそれぞれ１ｍｓより小さい短縮ＴＴＩであり、それらはサブフレームに含まれ、前記サブフレームは各スロットが０．５ｍｓである二つのスロットを有する。本態様のある実施の形態によると、前記第１ＴＴＩが前記第２ＴＴＩに時間的に後続する。 
【００４７】
本態様のある実施の形態によると、前記第１ＴＴＩおよび前記第２ＴＴＩが共通の復調参照信号、ＤＭＲＳ、を有する。本態様のある実施の形態によると、前記第１ＴＴＩは、２つの直交周波数分割多重（ＯＦＤＭ）シンボルと３つのＯＦＤＭシンボルと４つのＯＦＤＭシンボルと７つのＯＦＤＭシンボルとからなるグループからとられたひとつを含む。
【００４８】
本開示のある態様によると、ネットワークノードが提供される。ネットワークノードは、送信時間間隔、ＴＴＩ、設定を決定するよう構成された決定モジュールを含む。前記ＴＴＩ設定が、第１キャリア上の第１セルと無線デバイスとの間の第１信号を動作させるための第１ＴＴＩと、前記第１キャリア上の前記第１セルと前記無線デバイスとの間の第２信号を動作させるための第２ＴＴＩと、を含み、前記ＴＴＩ設定が以下のいずれかを含む：時間において互いに重なり合わない前記第２ＴＴＩの隣の前記第１ＴＴＩ；および時間において互いに少なくとも部分的に重なり合う前記第２ＴＴＩの隣の前記第１ＴＴＩ。ネットワークノードは、前記第１ＴＴＩにおいて前記第１信号を受信し、かつ、前記第２ＴＴＩにおいて前記第２信号を受信するよう構成された受信モジュールであって、前記第１ＴＴＩおよび前記第２ＴＴＩが最大出力電力パラメータに基づいて送信されたものであり、前記単一の最大出力電力パラメータが前記ＴＴＩ設定に基づくものである、受信モジュールを含む。
【００４９】
本開示のある態様によると、無線デバイスが提供される。無線デバイスは、少なくとも２つの送信時間間隔、ＴＴＩ、においてＴＴＩ設定に基づいて信号を送信するために用いられるべき単一の最大出力電力パラメータを決定するよう構成された電力決定モジュールを含む。前記ＴＴＩ設定が、第１キャリア上の第１セルと無線デバイスとの間の第１信号を動作させるための第１ＴＴＩと、前記第１キャリア上の前記第１セルと前記無線デバイスとの間の第２信号を動作させるための第２ＴＴＩと、を含み、前記ＴＴＩ設定が以下のいずれかを含む：時間において互いに重なり合わない前記第２ＴＴＩの隣の前記第１ＴＴＩ；および時間において互いに少なくとも部分的に重なり合う前記第２ＴＴＩの隣の前記第１ＴＴＩ。無線デバイスは、決定された前記単一の最大出力電力パラメータを用いて、前記第１ＴＴＩにおいて前記第１信号を送信し、前記第２ＴＴＩにおいて前記第２信号を送信するよう構成された送信モジュールを含む。
【図面の簡単な説明】
【００５０】
開示される実施の形態並びにそのフィーチャおよび利点のより完全な理解のために、添付の図面と連携した以下の説明が参照される。
【図１】ＬＴＥ時間ドメイン構造の一例を示す。
【図２】例示的なダウンリンクサブフレームを示す。
【図３】ＵＬについてサポートされる例示的な７シンボルｓＴＴＩ構成を示す。
【図４】ＵＬについてサポートされるべき４シンボルｓＴＴＩの例を示す。
【図５】ＵＬ  ＴＴＩオプションの一例を示す。
【図６】２−ＯＳ  ＴＴＩ持続時間の一例を示す。
【図７】重なり合うシンボルが共通ＤＭＲＳシンボルである、２−ＯＳ  ＴＴＩ長の重なり合うＴＴＩを示す。
【図８】重なり合うシンボルが共通ＤＭＲＳシンボルである、４−ＯＳ  ＴＴＩ長の重なり合うＴＴＩを示す。
【図９】特定の実施の形態による、短縮ＴＴＩパターンにおける連続ＴＴＩについて設定出力電力を導くための例示的なネットワークを示す。
【図１０】特定の実施の形態による、短縮ＴＴＩパターンにおける連続ＴＴＩについて設定出力電力を導くための例示的な無線デバイスを示す。
【図１１】特定の実施の形態による、短縮ＴＴＩパターンにおける連続ＴＴＩについて設定出力電力を導くための、無線デバイスの例示的な方法を示す。
【図１２Ａ】２−ＯＳ  ＴＴＩパターンにおける非重複ＴＴＩのＰＣＭＡＸ推定ウインドウの一例を示す。
【図１２Ｂ】２−ＯＳ  ＴＴＩパターンにおける重複ＴＴＩのＰＣＭＡＸ推定ウインドウの一例を示す。
【図１２Ｃ】４−ＯＳ  ＴＴＩパターンにおける重複ＴＴＩのＰＣＭＡＸ推定ウインドウの一例を示す。
【図１３】特定の実施の形態による、短縮ＴＴＩパターンにおける連続ＴＴＩについて設定出力電力を導くための例示的な仮想コンピューティングデバイスを示す。
【図１４】特定の実施の形態による、短縮ＴＴＩパターンにおける連続ＴＴＩについて設定出力電力を導くための例示的なネットワークノードを示す。
【図１５】特定の実施の形態による、短縮ＴＴＩパターンにおける連続ＴＴＩについて設定出力電力を導くための、ネットワークノードの例示的な方法を示す。
【図１６】特定の実施の形態による、短縮ＴＴＩパターンにおける連続ＴＴＩについて設定出力電力を導くための他の例示的な仮想コンピューティングデバイスを示す。
【発明を実施するための形態】
【００５１】
特定の実施の形態を図１−１６で説明する。同等の符号は種々の図面の同等の対応する部材のために用いられる。図９は、特定の実施の形態による、異なる送信時間間隔（ＴＴＩ）パターンを伴う設定出力電力を導出するためのネットワーク１００の実施の形態を示すブロック図である。ネットワーク１００は、無線デバイス１１０またはＵＥ１１０とも交換可能に呼ばれ得る１つまたは複数の無線デバイス１１０Ａ〜Ｃと、ネットワークノード１１５またはｅノードＢ１１５とも交換可能に呼ばれ得るネットワークノード１１５Ａ〜Ｃと、を含む。無線デバイス１１０は、無線インタフェースを介してネットワークノード１１５と通信することができる。例えば、無線デバイス１１０Ａはネットワークノード１１５のうちの１つまたは複数に無線信号を送信し、および／またはネットワークノード１１５のうちの１つまたは複数から無線信号を受信することができる。無線信号は、音声トラフィック、データトラフィック、制御信号、および／または任意の他の適切な情報を含み得る。いくつかの実施の形態では、ネットワークノード１１５に関連付けられた無線信号カバレッジのエリアはセルと呼ばれ得る。いくつかの実施の形態では、無線デバイス１１０はＤ２Ｄ機能を有することができる。したがって、無線デバイス１１０は、別の無線デバイス１１０から信号を受信すること、および／または別の無線デバイス１１０に信号を直接送信することが可能であり得る。例えば、無線デバイス１１０Ａは、無線デバイス１１０Ｂから信号を受信すること、および／または無線デバイス１１０Ｂに信号を送信することが可能であり得る。
【００５２】
ある実施の形態では、ネットワークノード１１５は無線ネットワークコントローラ（図９では不図示）とインタフェースすることができる。無線ネットワークコントローラはネットワークノード１１５を制御することができ、特定の無線リソース管理機能、モビリティ管理機能、および／または他の適切な機能を提供することができる。ある実施の形態では、無線ネットワークコントローラの機能はネットワークノード１１５に含まれてもよい。無線ネットワークコントローラは、コアネットワークノードとインタフェースすることができる。ある実施の形態では、無線ネットワークコントローラは、相互接続ネットワークを介してコアネットワークノードとインタフェースすることができる。相互接続ネットワークは、音声、ビデオ、信号、データ、メッセージ、またはこれらの任意の組合せを送信することができる任意の相互接続システムを指すことができる。相互接続ネットワークは、公衆交換電話網（ＰＳＴＮ）、公衆または私設データネットワーク、ローカルエリアネットワーク（ＬＡＮ）、メトロポリタンエリアネットワーク（ＭＡＮ）、ワイドエリアネットワーク（ＷＡＮ）、ローカル、リージョナル、またはグローバル通信、またはインターネットなどのコンピュータネットワーク、有線もしくは無線ネットワーク、企業イントラネット、またはそれらの組合せを含む任意の他の適切な通信リンクなどのすべてまたは一部を含むことができる。
【００５３】
いくつかの実施の形態では、コアネットワークノードは、無線デバイス１１０のための通信セッションの確立および様々な他の機能を管理することができる。無線デバイス１１０は、非アクセス階層レイヤを使用して、コアネットワークノードと特定の信号を交換することができる。非アクセス階層シグナリングでは、無線デバイス１１０とコアネットワークノードとの間の信号は無線アクセスネットワークを透過的に通過してもよい。ある実施の形態では、ネットワークノード１１５は、ノード間インタフェースを介して１つまたは複数のネットワークノードとインタフェースすることができる。例えば、ネットワークノード１１５Ａおよび１１５Ｂは、Ｘ２インタフェースを介してインタフェースすることができる。
【００５４】
上述の通り、ネットワーク１００の例示的な実施の形態は、ひとつ以上の無線デバイス１１０と、ひとつ以上の異なるタイプのネットワークノードであって無線デバイス１１０と通信可能（直接的にまたは間接的に）なネットワークノードと、を含んでもよい。無線装置１１０は、セルラまたはモバイル通信システムにおいてノードおよび／または別の無線デバイスと通信する任意のタイプの無線デバイスを指すことができる。無線デバイス１１０の例は、携帯電話、スマートフォン、ＰＤＡ（パーソナルデジタルアシスタント）、可搬コンピュータ（例えば、ラップトップ、タブレット）、センサ、モデム、マシンタイプ通信（ＭＴＣ）デバイス／マシン対マシン（Ｍ２Ｍ）デバイス、ラップトップ組み込み装置（ＬＥＥ）、ラップトップ搭載装置（ＬＭＥ）、ＵＳＢドングル、Ｄ２Ｄ可能デバイス、または無線通信を提供可能な任意の他のデバイスを含む。いくつかの実施の形態では、無線デバイス１１０はＵＥ、ステーション（ＳＴＡ）、デバイス、または端末とも呼ばれ得る。また、いくつかの実施の形態では、一般用語「無線ネットワークノード」（または単に「ネットワークノード」）が使用される。それは、ノードＢ、基地局（ＢＳ）、ＭＳＲ  ＢＳなどのマルチスタンダード無線（ＭＳＲ）無線ノード、ｅノードＢ、ネットワークコントローラ、無線ネットワークコントローラ（ＲＮＣ）、基地局コントローラ（ＢＳＣ）、リレードナーノード制御リレー、基地トランシーバ局（ＢＴＳ）、アクセスポイント（ＡＰ）、送信ポイント、送信ノード、ＲＲＵ、ＲＲＨ、分散アンテナシステム（ＤＡＳ）内のノード、コアネットワークノード（例えば、ＭＳＣ、ＭＭＥなど）、Ｏ＆Ｍ、ＯＳＳ、ＳＯＮ、位置決めノード（例えば、Ｅ−ＳＭＬＣ）、ＭＤＴ、または任意の適切なネットワークノードを含んでもよい任意の種類のネットワークノードであってもよい。ネットワークノード１１５および無線デバイス１１０の例示的な実施の形態を、それぞれ図１４および１０に関してより詳細に説明する。
【００５５】
図９はネットワーク１００の特定の構成を示すが、本開示は本明細書で説明される様々な実施の形態が任意の適切な構成を有する様々なネットワークに適用され得ることを企図する。例えば、ネットワーク１００は、任意の適切な数の無線デバイス１１０およびネットワークノード１１５、ならびに無線デバイス間または無線デバイスと別の通信デバイス（陸線電話など）との間の通信をサポートするのに適切な任意の追加の要素を含み得る。さらに、特定の実施の形態はロングタームエボリューション（ＬＴＥ）ネットワークにおいて実装されるように説明され得るが、実施の形態は任意の適切な通信規格をサポートし、任意の適切な構成要素を使用する任意の適切なタイプの電気通信システムにおいて実装されうるものであり、無線デバイスが信号（例えば、データ）を受信および／または送信する任意の無線アクセス技術（ＲＡＴ）またはマルチＲＡＴシステムに適用可能である。例えば、本明細書で説明される様々な実施の形態は、ＬＴＥ、ＬＴＥ−Ａｄｖａｎｃｅｄ、ＬＴＥ−Ｕ、ＵＭＴＳ、ＨＳＰＡ、ＧＳＭ、ｃｄｍａ２０００、ＷｉＭａｘ、ＷｉＦｉ、他の適切な無線アクセス技術、または１つまたは複数の無線アクセス技術の任意の適切な組み合せに適用可能であり得る。特定の実施の形態はダウンリンクにおける無線送信の文脈で説明されうるが、本開示は、様々な実施の形態がアップリンクにおいて等しく適用可能であり、逆もまた同様であることを企図する。同様に、本明細書で説明される短縮ＴＴＩパターンにおける連続ＴＴＩについての設定出力電力を導くための技法は、ライセンス免除チャネルにおけるＬＡＡ  ＬＴＥおよびスタンドアロンＬＴＥ動作の両方に適用可能であり、一般に、ネットワークノード１１５および無線デバイス１１０の両方からの送信に適用可能である。
【００５６】
本開示では、第１ノードおよび第２ノードが２つのノードとして用いられる場合があり、非ライセンススペクトル（または、２つ以上のシステムがある種の共有規則に基づいて動作する共有スペクトル）で送信または受信のいずれかを行う。第１ノードの例はネットワークノードでありえ、これはより一般的な用語であってもよく、ＵＥおよび／または他のネットワークノードと通信する任意のタイプの無線ネットワークノードまたは任意のネットワークノードに対応することができる。ネットワークノードの例はノードＢ、基地局（ＢＳ）、ＭＳＲ  ＢＳなどのマルチスタンダード無線（ＭＳＲ）無線ノード、ｅノードＢ、ｇノードＢ、ＭｅＮＢ、ＳｅＮＢ、ネットワークコントローラ、無線ネットワークコントローラ（ＲＮＣ）、基地局コントローラ（ＢＳＣ）、リレー、ドナーノード制御リレー、基地トランシーバ局（ＢＴＳ）、アクセスポイント（ＡＰ）、送信ポイント、送信ノード、ＲＲＵ、ＲＲＨ、分散アンテナシステム（ＤＡＳ）内のノード、コアネットワークノード（例えば、ＭＳＣ、ＭＭＥなど）、Ｏ＆Ｍ、ＯＳＳ、ＳＯＮ、位置決めノード（例えば、Ｅ−ＳＭＬＣ）、ＭＤＴなどであってもよい。
【００５７】
ノードの他の例はユーザ装置であり、これは非限定的な用語のユーザ装置（ＵＥ）であって、セルラまたはモバイル通信システムにおいてネットワークノードおよび／または他のＵＥと通信する任意のタイプの無線デバイスを指す。ＵＥの例は、ターゲットデバイス、デバイスツーデバイス（Ｄ２Ｄ）ＵＥ、マシンタイプＵＥまたはマシンツーマシン（Ｍ２Ｍ）通信が可能なＵＥ、ＰＤＡ、ｉＰＡＤ、タブレット、モバイル端末、スマートフォン、ラップトップ組み込み装置（ＬＥＥ）、ラップトップ取り付け装置（ＬＭＥ）、ＵＳＢドングルなどである。
【００５８】
ある実施の形態では、一般用語「無線ネットワークノード」（または単に「ネットワークノード（ＮＷノード）」）が使用される。それは、基地局、無線基地局、基地トランシーバ局、基地局コントローラ、ネットワークコントローラ、エバルブドノードＢ（ｅＮＢ）、ノードＢ、リレーノード、アクセスポイント、無線アクセスポイント、リモートラジオユニット（ＲＲＵ）、リモートラジオヘッド（ＲＲＨ）などを含んでもよい任意の種類のネットワークノードであってもよい。
【００５９】
本開示では、上述のノードのいずれかが「第１ノード」および／または「第２ノード」になりうる。
【００６０】
キャリア、ＰＣＣ、またはＳＣＣとも交換可能に呼ばれるコンポーネントキャリア（ＣＣ）は、上位レイヤシグナリングを使用してネットワークノードによって無線デバイスにおいて設定される。例えば、ＣＣは、無線デバイスにＲＲＣ設定メッセージを送信することによって設定され得る。設定されたＣＣは、設定されたＣＣのサービングセル（例えば、ＰＣｅｌｌ、ＰＳＣｅｌｌ、ＳＣｅｌｌなど）上で無線デバイスを担当するためにネットワークノードによって使用され得る。設定されたＣＣはまた、ＣＣ上で動作するセル、例えば、ＰＣｅｌｌ、ＳＣｅｌｌ、またはＰＳＣｅｌｌ、および隣接セル、上で１つまたは複数の無線測定（例えば、ＲＳＲＰ、ＲＳＲＱなど）を実行するために、無線デバイスによって使用される。
【００６１】
フォールバックモードという用語は、本明細書では無線デバイス１１０によってサポートされるＣＡ組み合わせにおけるＣＣの最大数よりも少ない数のＣＣを含むキャリアアグリゲーション（ＣＡ）設定を指す。例えば、４つのＤＬ  ＣＣおよび１つのＵＬ  ＣＣの最大ＣＡ設定を伴うＣＡ組み合わせをサポートする無線デバイス１１０は、以下の３つのフォールバックモードをサポートすることができる：３つのＤＬ  ＣＣおよび１つのＵＬ  ＣＣ、１つのＤＬ  ＣＣおよび１つのＵＬ  ＣＣ、ＤＬ  ＣＣおよび１つのＵＬ  ＣＣ（すなわち、シングルキャリア動作）。フォールバックモードという用語は、下位ＣＡ組み合わせ、下位ＣＡ設定、フォールバックＣＡモード、フォールバックＣＡ設定モード、フォールバックＣＡ組み合わせなどとも交換可能に呼ばれる。
【００６２】
無線アクセス技術またはＲＡＴという用語は、ＵＴＲＡ、Ｅ−ＵＴＲＡ、狭帯域物のインターネット化（ＮＢ−ＩｏＴ）、ＷｉＦｉ、ブルートゥース、次世代ＲＡＴ（ＮＲ）、４Ｇ、５Ｇなどの任意のＲＡＴを指してもよい。第１ノードおよび第２ノードのいずれかは、単一のＲＡＴまたは複数のＲＡＴをサポート可能であってもよい。
【００６３】
本明細書で使用される信号という用語は、任意の物理信号または物理チャネルとすることができる。物理信号の例は、ＰＳＳ、ＳＳＳ、ＣＲＳ、ＰＲＳなどの基準信号である。本明細書で使用される（例えば、チャネル受信の文脈における）物理チャネルという用語は、「チャネル」とも呼ばれる。物理チャネルの例は、ＭＩＢ，ＰＢＣＨ，ＮＰＢＣＨ，ＰＤＣＣＨ，ＰＤＳＣＨ，ｓＰＵＣＣＨ，ｓＰＤＳＣＨ，ｓＰＵＣＣＨ，ｓＰＵＳＣＨ，ＭＰＤＣＣＨ，ＮＰＤＣＣＨ，ＮＰＤＳＣＨ，Ｅ−ＰＤＣＣＨ，ＰＵＳＣＨ，ＰＵＣＣＨ，ＮＰＵＳＣＨ，などである。
【００６４】
本明細書で使用される「時間リソース」という用語は、時間の長さで表される任意のタイプの物理リソースまたは無線リソースに対応してもよい。時間リソースの例は、シンボル、タイムスロット、サブフレーム、無線フレーム、ＴＴＩ、インタリーブ時間などである。
【００６５】
本明細書で使用される用語ＴＴＩは、物理チャネルが送信のために符号化され、インターリーブされることができる任意の期間（Ｔ０）に対応することができる。物理チャネルは、それを符号化したときにかかった期間と同じ期間（Ｔ０）にわたって受信器によって復号される。ＴＴＩはまた、短いＴＴＩ（ｓＴＴＩ）、送信時間、送信時間間隔、スロット、サブスロット、ミニスロット、短いサブフレーム（ＳＳＦ）、ミニサブフレームなどと互換的に呼ばれ得る。
【００６６】
本明細書で使用される用語Ｐｃｍａｘは、ＵＥ最大出力電力を定義する任意のパラメータに対応し得る。いくつかの実施の形態において、Ｐｃｍａｘは、Ｐ１によって示される。パラメータはあらかじめ定義されてもよいし、設定されてもよい。パラメータは、ＵＥの公称出力電力以下であってもよい。Ｐｃｍａｘはまた、本明細書では、ＵＥ最大送信電力、ＵＥ最大設定電力、ＵＥ最大動作電力などと交換可能に呼ばれる。
【００６７】
本明細書で使用される要件という用語は、無線デバイス測定に関連する任意のタイプの無線デバイス要件を含んでもよく、そのような要件は、無線要件、測定要件、ＲＲＭ要件、モビリティ要件、測位測定要件などとしても知られる。無線デバイス測定に関連する無線デバイス要件の例は、測定時間、測定報告時間または遅延、測定確度（例えば、ＲＳＲＰ／ＲＳＲＱ確度）、測定時間にわたって測定されるべきセルの数などである。測定時間の例は、Ｌ１測定期間、セル識別時間またはセルサーチ遅延、ＣＧＩ取得遅延などである。
とりわけ、本開示は以下を開示する：
●  異なるＴＴＩパターンを含むシナリオ。
●  連続ＴＴＩについての最大出力電力を決定する、ＵＥのための方法の実施の形態、および、そのような方法を実施するよう動作可能であるＵＥの実施の形態。
●  連続ＴＴＩについての最大出力電力を決定する、ネットワークノードのための方法の実施の形態、および、そのような方法を実施するよう動作可能であるネットワークノードの実施の形態。
【００６８】
異なるＴＴＩパターンを含むシナリオの説明
【００６９】
ある実施の形態では、無線デバイス１１０は異なるＴＴＩパターンで構成され得る。ある例示的なシナリオでは、無線デバイス１１０はシングルキャリア動作として知られるように、ひとつのサービングセル（例えば、ＰＣｅｌｌ）で設定されてもよい。無線デバイス１１０は、少なくとも２つの異なるＴＴＩ（例えば、１ｍｓのＴＴＩおよび２−ＯＳのＴＴＩなど）が可能であってもよい。無線デバイス１１０は、サービングセルのひとつの時間リソースにおいて無線デバイス１１０によってサポートされる複数のＴＴＩのうちの任意の１つで構成され得る。ある実施の形態では、無線デバイス１１０はさらに、サービングセルにおいてＴＴＩが経時的に変更される原因となる動作をサポートすることが可能であり得る。追加的にまたは代替的に、無線デバイス１１０は、そのサービングセルのアップリンクおよびダウンリンクにおいて異なるＴＴＩを使用する動作をサポートすることがさらに可能であり得る。基本シナリオの一例を表１に示す：
0006756042.tif 000007
【００７０】
図１０は、特定の実施の形態による、短縮ＴＴＩパターンにおける連続ＴＴＩについて設定出力電力を導くための例示的な無線デバイス１１０を示す。図示のように、無線デバイス１１０は、トランシーバ５１０と、ひとつ以上のプロセッサ５２０と、メモリ５３０と、を含む。ある実施の形態では、トランシーバ５１０は、ネットワークノード１１５への（例えば、アンテナを介した）無線信号の送信およびネットワークノード１１５からの（例えば、アンテナを介した）無線信号の受信を促進し、プロセッサ５２０はインストラクションを実行することで上で無線デバイス１１０によって提供されるものとして説明されている機能のいくつかまたは全てを提供し、メモリ５３０はプロセッサ５２０によって実行されるインストラクションを保持する。無線デバイス１１０の例は、上記で提供される。
【００７１】
ひとつ以上のプロセッサ５２０は、インストラクションを実行しデータを操作することで無線デバイス１１０の説明される機能のうちのいくつかまたは全てを行うために、ひとつ以上のモジュールで実装されるハードウエアおよびソフトウエアの任意の適切な組み合わせを含んでもよい。ある実施の形態では、ひとつ以上のプロセッサ５２０は、例えば、ひとつ以上のコンピュータ、ひとつ以上の中央演算ユニット（ＣＰＵ）、ひとつ以上のマイクロプロセッサ、ひとつ以上のアプリケーション、および／または他のロジック、を含んでもよい。
【００７２】
メモリ５３０は一般に、コンピュータプログラム、ソフトウエア、論理や規則やアルゴリズムやコードやテーブルなどのうちの１つまたは複数を含むアプリケーション、および／またはプロセッサによって実行可能な他のインストラクションなどのインストラクションを保持するように動作可能である。メモリ５３０の例は、コンピュータメモリ（例えば、ランダムアクセスメモリ（ＲＡＭ）やリードオンリメモリ（ＲＯＭ））、大容量ストレージ媒体（例えば、ハードディスク）、リムーバブルストレージ媒体（例えば、コンパクトディスク（ＣＤ）やデジタルビデオディスク（ＤＶＤ））、および／または情報を保持する任意の他の揮発性または不揮発性、非一時的コンピュータ可読および／またはコンピュータ実行可能メモリデバイスを含む。
【００７３】
無線デバイス１１０の他の実施の形態は、無線デバイスの機能のある側面を提供することの責を負う、図１０に示されるものを超える追加的なコンポーネントを含んでもよく、そのような機能は本明細書に記載される機能のいずれかおよび／または追加的な機能（上述の解をサポートするのに必要な機能を含む）を含む。
【００７４】
図１１は、特定の実施の形態による、短縮ＴＴＩパターンにおける連続ＴＴＩについて設定出力電力を導くための、無線デバイス１１０の例示的な方法６００を示す。方法はステップ６０２で始まり、そこでは、無線デバイス１１０は、少なくとも２つの送信時間間隔、ＴＴＩ、においてＴＴＩ設定に基づいて信号を送信するために用いられるべき単一の最大出力電力パラメータ（Ｐ１）を決定する。ひとつ以上の実施の形態では、ＴＴＩ設定は、第１キャリア上の第１セルと無線デバイス１１０との間の第１信号を動作させるための第１ＴＴＩと、第１キャリア上の第１セルと無線デバイス１１０との間の第２信号を動作させるための第２ＴＴＩと、を含む。ひとつ以上の実施の形態では、ＴＴＩ設定は、時間において互いに重なり合わない第２ＴＴＩの隣の第１ＴＴＩ；および時間において互いに少なくとも部分的に重なり合う第２ＴＴＩの隣の第１ＴＴＩ；のうちのいずれかを含む。
【００７５】
ひとつ以上の実施の形態では、ネットワークノード１１５は、第１キャリア（Ｆ１）上の第１セル（ｃｅｌｌ１）とＵＥ１１０との間の第１信号（Ｓ１）を動作させるために使用される第１ＴＴＩ（ＴＴＩ１）と、第１キャリア（Ｆ１）上の第１セル（ｃｅｌｌ１）との間の第２信号（Ｓ２）を動作させるために使用される第２ＴＴＩ（ＴＴＩ２）と、を含むＴＴＩ設定（ＴＴＩ−ＣＯＮＦ）を決定する。ある実施の形態では、ＴＴＩ−ＣＯＮＦが、時間において互いに重なり合わない隣り合うＴＴＩ１とＴＴＩ２とを含む第１ＴＴＩ設定（ＣＯＮＦ１）と、時間において互いに少なくとも部分的に重なり合う隣り合うＴＴＩ１とＴＴＩ２とを含む第２ＴＴＩ設定（ＣＯＮＦ２）と、のうちのいずれかであってもよい。ある実施の形態では、ＴＴＩ−ＣＯＮＦの決定は、例えば事前定義されたルールに基づいてＴＴＩ−ＣＯＮＦを取得すること、またはネットワークノード１１５または他のＵＥ１１０からそれを受信すること、を含んでもよい。ある実施の形態では、ネットワークノード１１５はＵＥ１１０にＴＴＩ設定を送信する。例えば、無線デバイス１１０は、少なくとも無線デバイス１１０のサービングセルにおいて信号を送信するために無線デバイス１１０によって用いられるべきＴＴＩ設定（ＴＴＩ−ＣＯＮＦ）を取得するか、そうでなければある実施の形態では決定する。
【００７６】
ＴＴＩ−ＣＯＮＦは２つのＴＴＩからなる：第１キャリア（Ｆ１）上の第１セル（ｃｅｌｌ１）とＵＥ１１０との間の第１信号（Ｓ１）を動作させるために使用される第１ＴＴＩ（ＴＴＩ１）と、第１キャリア（Ｆ１）上の第１セル（ｃｅｌｌ１）との間の第２信号（Ｓ２）を動作させるために使用される第２ＴＴＩ（ＴＴＩ２）、ここで、ＴＴＩ１とＴＴＩ２とは時間的に隣り合うまたは連続するＴＴＩである。セル１は、無線デバイス１１０のサービングセルであり得る。サービングセルの例は、ＰＣｅｌｌ、ＰＳＣｅｌｌなどである。Ｃｅｌｌ１はＵＬサービングセルに対応してもよい。この場合、ＴＴＩ１はＵＬサービングセルのＴＴＩに対応する。
【００７７】
ＴＴＩ−ＣＯＮＦはさらに、少なくとも２つのＴＴＩ設定のうちのいずれかひとつを含んでもよい：
−  時間において互いに重なり合わない隣り合うまたは連続するＴＴＩ１とＴＴＩ２とを含む第１ＴＴＩ設定（ＣＯＮＦ１）、および
−  時間において互いに少なくとも部分的に重なり合う隣り合うまたは連続するＴＴＩ１とＴＴＩ２とを含む第２ＴＴＩ設定（ＣＯＮＦ２）。
【００７８】
本明細書で用いられるＴＴＩ１およびＴＴＩ２は、少なくとも、ｃｅｌｌ１においてアップリンク信号を送信するために無線デバイス１１０によって用いられるＴＴＩを指してもよい。一例では、同じＴＴＩ（例えば、ＴＴＩ１）は、ｃｅｌｌ１のアップリンクおよびダウンリンクの両方において信号を動作させるために、無線デバイス１１０によって用いられてもよい。他の例では、異なるＴＴＩは、ｃｅｌｌ１のアップリンクおよびダウンリンクにおいて信号を動作させるために、無線デバイス１１０によって用いられてもよい。例えば、ｃｅｌｌ１のＵＬおよびＤＬにおいてＴＴＩ１ｕおよびＴＴＩ２ｄがそれぞれ用いられてもよい。同じセルすなわちｃｅｌｌ１において無線デバイス１１０によって同じＴＴＩが使用されるか異なるＴＴＩが使用されるかに関わらず、実施の形態を適用することができる。
【００７９】
本明細書で用いられるＣＯＮＦ２という用語は、少なくとも、時間において互いに少なくとも部分的に重なり合うＴＴＩ１およびＴＴＩ２を含む。言い換えると、無線デバイス１１０は、少なくともひとつの重なり合う時間リソース（例えば、１シンボル）を伴う２つの連続するまたは連なるＴＴＩで設定される。ＴＴＩ１およびＴＴＩ２は同じ時間長を有しうるか、または、それらは異なる時間長を有しうる。後者の場合、一例では、先頭のＴＴＩは末尾のＴＴＩよりも大きくてもよく（すなわち、ＴＴＩ１＞ＴＴＩ２）、一方で、第２の例では、先頭のＴＴＩは末尾のＴＴＩよりも小さくてもよい（すなわち、ＴＴＩ１＜ＴＴＩ２）。二つの連続するＴＴＩの時間において重なり合う部分は、典型的には、参照信号を含むひとつ以上のシンボルである。参照信号の例はＤＭＲＳ、ＳＲＳ等である。ＴＴＩ−ＣＯＮＦはまた、互換的に、共通のＤＭＲＳを伴う二つの連続ＴＴＩを含むＴＴＩ設定、共有ＤＭＲＳを伴う二つの連続ＴＴＩを含むＴＴＩ設定、共通のまたは重なり合うシンボルを伴う二つの連続ＴＴＩを含むＴＴＩ設定、参照信号を含む共通のまたは重なり合うシンボルを伴う二つの連続ＴＴＩを含むＴＴＩ設定、または共通のあるいは共有のＤＭＲＳまたは参照信号あるいはシンボルを伴う単なるＴＴＩ設定などと呼ばれうる。
【００８０】
本明細書においてセル１と無線デバイス１１０との間の動作信号（Ｓ１）という用語は、無線デバイスによるセル１からの信号（Ｓ１１）の受信および／または無線デバイス１１０によるセル１への信号（Ｓ１２）の送信を含むことができる。無線デバイス１１０においてｃｅｌｌ１から信号を受信するＳ１１の例は、ＰＤＣＣＨ、ＰＤＳＣＨ、ｓＰＤＣＣＨ、ｓＰＤＳＣＨなどのＤＬチャネルである。無線デバイス１１０によってｃｅｌｌ１に信号を送信するＳ１２の例は、ＰＵＣＣＨ、ＰＵＳＣＨ、ｓＰＵＣＣＨ、ｓＰＵＳＣＨなどのＵＬチャネルである。
【００８１】
無線デバイス１１０は、以下のメカニズムのうちのひとつ以上に基づいて、ＴＴＩ−ＣＯＮＦに含まれるＴＴＩ１およびＴＴＩ２を決定してもよい：
＊  事前定義された情報、例えば、ＴＴＩ１とＦ１の周波数帯との関係および／またはＴＴＩ２とＦ１の周波数帯との関係。
＊  例えばＰＣｅｌｌ、ＳＣｅｌｌなどのネットワークノードから受信した設定。例えば、無線デバイス１１０は、ＤＬにおいて制御信号を受信することによって、またはＲＲＣメッセージを受信することによって、任意のキャリアにおいて任意の時刻において使用されるＴＴＩパターンを決定することができる。
＊  事前に定義されたルール。ルールの例は以下の通りである：
○  参照セルで使用されるのと同じＴＴＩを適用する。参照セルの例はＰＣｅｌｌやＰＳＣｅｌｌである。
○  セル１の反対方向で使用されるＴＴＩに基づく。例えば、
●  ＵＬおよびＤＬセル１において同じＴＴＩを仮定する。
●  ＵＬ  ｃｅｌｌ１が、ＤＬ  ｃｅｌｌ１のＴＴＩよりも短くないＴＴＩを使用すると仮定する
＊  例えば、異なる事前定義ＴＴＩのＤＬチャネルを復号しようと試みることによる、無線デバイス１１０によるブラインド検出などによる自律決定。
【００８２】
ステップ６０２のある実施の形態では、ステップ６０２によると、無線デバイス１１０は、２つ以上の連続ＴＴＩにおいて、決定されたＴＴＩ−ＣＯＮＦに基づいて信号を送信するためにＵＥによって用いられるべき単一の最大出力電力パラメータ（Ｐ１）を決定する。Ｐ１の推定はウインドウまたは持続時間または推定期間（Ｔｗ）に亘ってなされ、これは少なくとも自身のサービングセルにおいてＵＥが信号を送信するために該ＵＥによって使用される連続するＴＴＩのうちの少なくともひとつに依存する。パラメータＴｗは、参照時間、参照ＴＴＩ長またはウインドウ、ＴＴＩ参照（ＴＴＩｒｅｆ）、Ｐｃｍａｘ参照時間、最大電力の推定期間などと呼ばれることもある。
【００８３】
より具体的には、Ｐ１を計算または推定するためのＴｗの値は、ｃｅｌｌ１のＵＬにおいて無線デバイス１１０によって使用されるＴＴＩのうちの少なくともひとつの関数である。これは、以下の式で表される：
0006756042.tif 000008
【００８４】
他の例では、Ｔｗは、式（２）に表されるように、ＴＴＩ−ＣＯＮＦ内の全てのＴＴＩ（例えば、ＴＴＩ１およびＴＴＩ２）の関数であってもよい。これはＣＯＮＦ１にもＣＯＮＦ２にも適用される。
0006756042.tif 000009
【００８５】
無線デバイス１１０がＣＯＮＦ１で設定される場合、特定の例では、Ｔｗは（３）によって表されうる：
0006756042.tif 000010
【００８６】
無線デバイス１１０がＣＯＮＦ２で設定される場合、Ｔｗは（５）の一般式によって表されうる：
0006756042.tif 000011
ここで、Δｔは時間においてＴＴＩとＴＴＩ２との間で共有される、すなわちＴＴＩ１とＴＴＩ２との間で共通の、持続時間である。例えば、Δｔは、ＤＭＲＳシンボルがＴＴＩ１とＴＴＩ２との間で共有される場合、そのＤＭＲＳシンボルと等しくあってもよい。
【００８７】
無線デバイス１１０がＣＯＮＦ２で設定される場合、特定の例では、Ｔｗは（５）によって表されうる：
0006756042.tif 000012
【００８８】
各決定されたＴＴＩ設定について（およびｗｗｗ．３ＧＰＰ．ｏｒｇで公に利用可能とされているＴＳ  ３６．１０１  ｖ１４．１．０  セクション６．２．５で言及されているようなサブフレームではない）、無線デバイス１１０は、ＴＳ  ３６．１０１  セクション６．２．５で指定される要件に基づいて、２つ以上の連続するＴＴＩのＰＣＭＡＸ＿Ｌ，ｃおよびそのＰＣＭＡＸ，ｃの値を決定する。
【００８９】
ＴＴＩ持続時間が１ｍｓより小さい（すなわち、１４−ＯＳ  ＴＴＩより小さい）場合、ＰＣＭＡＸはＴＴＩの持続時間全体について計算される。１ｍｓのＴＴＩは１４個のＯＦＤＭシンボル（通常のサイクリックプレフィックス長を伴う）からなることを注意しておく。異なるＴＴＩについてのＰＣＭＡＸ計算ウインドウの一例は以下の表２に示される。表２では、全ての場合において、ＴＴＩ設定が２つの連続ＴＴＩを含むことが前提とされている。したがって、全ての場合（＃１−５）において、Ｐｃｍａｘ計算ウインドウ（Ｔｗ）はＴＴＩ１およびＴＴＩ２の持続時間を含む。表２の＃１および＃３の例示的ケースでは、ＴＴＩ−ＣＯＮＦは、１つの共有ＯＦＤＭシンボル（例えばＤＭＲＳを含むもの）を伴う２つの連続ＴＴＩを含む。＃１の場合（ＴＴＩの４−ＯＳ）、ＴＴＩ１とＴＴＩ２との間の１つの共有シンボルに起因して、Ｐｃｍａｘ計算ウインドウ（Ｔｗ）は７−ＯＳ（すなわち、０．５ｍｓ）を含む。＃３の場合（ＴＴＩの２−ＯＳ）、ＴＴＩ１とＴＴＩ２との間の１つの共有シンボルに起因して、Ｐｃｍａｘ計算ウインドウ（Ｔｗ）は３−ＯＳ（すなわち、２１４．２９μｓ）を含む。しかしながら、＃３の場合（各ＴＴＩの２−ＯＳ）、ＴＴＩ１とＴＴＩ２との間の１つの共有シンボルに起因して、Ｐｃｍａｘ計算ウインドウ（Ｔｗ）は３−ＯＳ（すなわち、２１４．２９μｓ）を含む。＃４および＃５のケースはそれぞれ＃２および＃３のケースと同様であるが、前者ではＴＴＩ１およびＴＴＩ２の長さが異なるという違いがある。
【００９０】
表２：２つの連続ＴＴＩが時間において重なり合う場合の、異なるＴＴＩパターンについての、最小Ｐｃｍａｘ計算時間ウインドウの一例
0006756042.tif 000013
【００９１】
表、または関係性マッピング、またはＴＴＩの値と対応するＰｃｍａｘパラメータとを関連付けることは、無線デバイス１１０によって、以下の原理のうちのひとつ以上に基づいて、取得されうる：
＊  事前定義されたルール、例えば規格で事前定義された要件、に基づく、
＊  ネットワークノード１１５から、または他の無線デバイス１１０からそれを受信することによって、
＊  無線デバイス１１０による、例えば履歴データまたは統計に基づく、自律選択によって、
＊  ｃｅｌｌ１におけるＵＬ信号の受信性能に基づく、例えば、受信信号品質が閾値を下回る場合、無線デバイス１１０はＴＴＩの関数としてそのＰＣＭＡＸウインドウを調整してもよい、すなわち、調整は現在のＴＴＩに依存しうる。
【００９２】
上述の例は図１２Ａ−１２Ｃに示される。
【００９３】
トータルの設定最大出力電力ＰＣＭＡＸは、以下の範囲内に設定される：
0006756042.tif 000014
【００９４】
ここで、ＰＣＭＡＸ推定時間ウインドウは、ｍ個のＴＴＩの総計からなり、ＰＣＭＡＸ＿ＬおよびＰＣＭＡＸ＿Ｈは以下のように定義される：
0006756042.tif 000015
【００９５】
ここで、上述のＰＣＭＡＸはＴＴＩに適用される、すなわち、ｃｅｌｌ１のＴＴＩ（ｎ）からＴＴＩ（ｎ＋ｍ）に適用される。ＰＣＭＡＸ＿Ｌ，ａ（ｂ）およびＰＣＭＡＸ＿Ｈ，ａ（ｂ）は、それぞれ、ＴＴＩ  ｂ上のセルａについてのＰＣＭＡＸ，ｃの下限および上限である。
【００９６】
数ｍは以下のうちのひとつ以上によって定義可能である：
＊  それは、無線デバイス１１０によって、ＴＴＩ持続時間の関数、例えばｍ＝ｆ（ＴＴＩ）、として決定可能である。一例として、２−ＯＳ  ＴＴＩについて、ｍは２より大きくてもよい。
＊  ｍはネットワークから無線デバイス１１０へシグナリングされてもよい。
＊  ｍは、２つ以上の連続ＴＴＩに亘って信号を送信するために用いられる時間マスクの時間ウインドウと等しくてもよい。
＊  例えば、異なる事前定義ＴＴＩのＤＬチャネルを復号しようと試みることによる、無線デバイス１１０によるブラインド検出などの、無線デバイス１１０による自律決定。
＊  ネットワークノードによって無線デバイス１１０に提供されるＵＬリソース割り当て情報に基づく。
＊  以前の送信からの履歴や統計に基づく。
【００９７】
ステップ６０４で、無線デバイス１１０は、ｃｅｌｌ１に信号を送信するために、決定されたＴＴＩ設定（ＣＯＮＦ１またはＣＯＮＦ２）に関連付けられた決定された最大出力電力値（Ｐ１）を用いる。ある実施の形態では、無線デバイス１１０は、決定された単一の最大出力電力パラメータを用いて、第１ＴＴＩにおいて第１信号を送信し、第２ＴＴＩにおいて第２信号を送信する。無線デバイス１１０は、決定された最大出力電力パラメータ（Ｐ１）に基づいて、ＴＴＩ−ＣＯＮＦにしたがって、２つ（またはそれより多く）の連続ＴＴＩにおいてｃｅｌｌ１に信号Ｓ１およびＳ２（またはそれより多くの信号）を送信する。無線デバイス１１０は、Ｐ１の決定された値に基づいて、その最大出力電力がＰ１の値内に留まることを保証する。無線デバイス１１０は、Ｐ１の決定された値に基づいて、さらに、無線デバイス１１０がＴＴＩに亘って信号を送信するときのそのＴＴＩがＵＥ１１０によってＰ１が推定されたときのＴＴＩと同じ場合でも、その最大出力電力がＰ１の値内に留まることを保証する。
【００９８】
ひとつ以上の実施の形態では、無線デバイス１１０はステップ３で決定された最大出力電力（Ｐ１）を、ひとつ以上の動作タスクのために使用する。タスクの例は以下の通りである：
−少なくとも送信信号上で無線測定を行うこと
−アップリンクにおける信号のスケジューリング
−電力制御
−位置決め等
【００９９】
特定の実施の形態では、上述のように短縮ＴＴＩパターンにおける連続ＴＴＩについて設定出力電力を導出する方法は仮想コンピューティングデバイスによって実行されてもよい。図１３は、特定の実施の形態による、短縮ＴＴＩパターンにおける連続ＴＴＩについて設定出力電力を導くための例示的な仮想コンピューティングデバイス７００を示す。いくつかの実施の形態では、仮想コンピューティングデバイス７００は図１１に示し説明した方法に関して上述したものと同様のステップを実行するためのモジュールを含むことができる。例えば、仮想コンピューティングデバイス７００は、少なくとも１つのＰ１決定モジュール７２０と、少なくとも１つの送信モジュール７３０と、短縮ＴＴＩパターンの連続するＴＴＩについて設定出力電力を導出するための任意の他の適切なモジュールと、を含むことができる。ひとつ以上の実施の形態では、仮想コンピューティングデバイス７００はＴＴＩ−ＣＯＮＦ決定モジュールを含む。あるいはまた、ＴＴＩ−ＣＯＮＦモジュールはネットワークノード１１５に含まれる。いくつかの実施の形態では、モジュールのうちの１つまたは複数は図１０の１つまたは複数のプロセッサ５２０を使用して実装することができる。特定の実施の形態では、様々なモジュールのうちの２つ以上の機能は単一のモジュールに組み入れられてもよい。
【０１００】
ひとつ以上の実施の形態では、無線デバイス１１０はＴＴＩ−ＣＯＮＦ決定モジュールを含み、該モジュールは仮想コンピューティングデバイス７００のＴＴＩ−ＣＯＮＦ決定機能を行ってもよい。例えば、特定の実施の形態では、ＴＴＩ−ＣＯＮＦ決定モジュールは、図１５のステップ３０２にしたがう機能を実行してもよい。
【０１０１】
Ｐ１決定モジュール７２０は、仮想計算デバイス７００のＰ１決定機能を行ってもよい。例えば、特定の実施の形態では、Ｐ１決定モジュール７２０は、図１１のステップ６０２にしたがう機能を実行してもよい。
【０１０２】
送信モジュール７３０は、仮想計算デバイス７００の送信機能を行ってもよい。例えば、特定の実施の形態では、送信モジュール７３０は、図１１のステップ６０４にしたがう機能を実行してもよい。ある実施の形態では、送信モジュール７３０は、ひとつ以上の無線動作タスク（例えば、測定など）のために、決定されたＰ１を使用するよう構成される。
【０１０３】
仮想計算デバイス７００の他の実施の形態は、無線ノードの機能のある側面を提供することの責を負う、図１３に示されるものを超える追加的なコンポーネントを含んでもよく、そのような機能は上述の機能のいずれかおよび／または追加的な機能（上述の解をサポートするのに必要な機能を含む）を含む。種々の異なるタイプの無線デバイス１１０およびネットワークノード１１５は、同じ物理的なハードウエアを有するが異なる無線アクセス技術をサポートするよう（例えば、プログラミングを介して）構成されたコンポーネントを含んでもよく、または部分的にまたは完全に異なる物理的コンポーネントを表してもよい。
【０１０４】
図１４は、特定の実施の形態による、短縮ＴＴＩパターンにおける連続ＴＴＩについて設定出力電力を導くための例示的なネットワークノード１１５を示す。上述のように、ネットワークノード１１５は、任意のタイプの無線ネットワークノード、または無線デバイス１１０および／または別のネットワークノード１１５と通信する任意のネットワークノードであってもよい。ネットワークノード１１５の例は、上記で提供される。
【０１０５】
ネットワークノード１１５は、同種配備、異種配備、または混合配備として、ネットワーク１００全体にわたって配備され得る。同種配備は一般に、同じ（または同様の）タイプのネットワークノード１１５、および／または同様のカバレッジおよびセルサイズ、ならびにサイト間距離から構成される配備を記述することができる。異種配備は一般に、異なるセルサイズ、送信電力、容量、およびサイト間距離を有する様々なタイプのネットワークノード１１５を使用する配備を記述することができる。例えば、異種配備は、マクロセルレイアウト全体にわたって配置された複数の低電力ノードを含むことができる。混合配備は、同種部分と異種部分との混合を含むことができる。
【０１０６】
ネットワークノード１１５は、トランシーバ２１０、ひとつ以上のプロセッサ２２０、メモリ２３０、およびネットワークインタフェース２４０のうちの１つまたは複数を含むことができる。ある実施の形態では、トランシーバ２１０は、無線デバイス１１０へ（例えば、アンテナを介して）無線信号を送信することおよび無線デバイス１１０から（例えば、アンテナを介して）無線信号を受信することを促進し、ひとつ以上のプロセッサ２２０はインストラクションを実行することでネットワークノード１１５によって提供されるものとして上述されている機能のいくつかまたは全てを提供し、メモリ２３０はひとつ以上のプロセッサ２２０によって実行されるインストラクションを保持し、ネットワークインタフェース２４０は、ゲートウエイ、スイッチ、ルータ、インターネット、公衆電話交換網（ＰＳＴＮ）、コアネットワークノードまたは無線ネットワークノード等に信号を伝送する。
【０１０７】
いくつかの実施の形態では、ネットワークノード１１５はマルチアンテナ技術を使用することができ、複数のアンテナを装備し、ＭＩＭＯ技術をサポートすることができる。１つまたは複数のアンテナは、制御可能な偏波を有することができる。言い換えれば、各要素は異なる偏光（例えば、交差偏光におけるような９０度の分離）を伴う２つの共存サブ要素を有してもよく、その結果、ビームフォーミング重みの異なる集合は、放射された波に異なる偏光を与える。
【０１０８】
ひとつ以上のプロセッサ２２０は、インストラクションを実行しデータを操作することでネットワークノード１１５の説明される機能のうちのいくつかまたは全てを行うために、ひとつ以上のモジュールで実装されるハードウエアおよびソフトウエアの任意の適切な組み合わせを含んでもよい。ある実施の形態では、ひとつ以上のプロセッサ２２０は、例えば、ひとつ以上のコンピュータ、ひとつ以上の中央演算ユニット（ＣＰＵ）、ひとつ以上のマイクロプロセッサ、ひとつ以上のアプリケーション、および／または他のロジック、を含んでもよい。
【０１０９】
メモリ２３０は一般に、コンピュータプログラム、ソフトウエア、論理や規則やアルゴリズムやコードやテーブルなどのうちの１つまたは複数を含むアプリケーション、および／またはプロセッサによって実行可能な他のインストラクションなどのインストラクションを保持するように動作可能である。メモリ２３０の例は、コンピュータメモリ（例えば、ランダムアクセスメモリ（ＲＡＭ）やリードオンリメモリ（ＲＯＭ））、大容量ストレージ媒体（例えば、ハードディスク）、リムーバブルストレージ媒体（例えば、コンパクトディスク（ＣＤ）やデジタルビデオディスク（ＤＶＤ））、および／または情報を保持する任意の他の揮発性または不揮発性、非一時的コンピュータ可読および／またはコンピュータ実行可能メモリデバイスを含む。
【０１１０】
ある実施の形態では、ネットワークインタフェース２４０はひとつ以上のプロセッサ２２０に通信可能に結合され、ネットワークノード１１５への入力を受信し、ネットワークノード１１５からの出力を送信し、そのような入力または出力もしくはその両方の適切な処理を実行し、他のデバイスと通信し、またはそれらの任意の組み合わせを行うよう動作する任意の適切なデバイスを指してもよい。ネットワークインタフェース２４０は、ネットワークを通じて通信するための、適切なハードウエア（例えば、ポート、モデム、ネットワークインタフェースカードなど）とソフトウエア（プロトコル変換およびデータ処理能力を含む）とを含んでもよい。
【０１１１】
ネットワークノード１１５の他の実施の形態は、無線ネットワークノードの機能のある側面を提供することの責を負う、図１４に示されるものを超える追加的なコンポーネントを含んでもよく、そのような機能は上述の機能のいずれかおよび／または追加的な機能（上述の解をサポートするのに必要な機能を含む）を含む。種々の異なるタイプのネットワークノードは、同じ物理的なハードウエアを有するが異なる無線アクセス技術をサポートするよう（例えば、プログラミングを介して）構成されたコンポーネントを含んでもよく、または部分的にまたは完全に異なる物理的コンポーネントを表してもよい。
【０１１２】
図１５は、特定の実施の形態による、短縮ＴＴＩパターンにおける連続ＴＴＩについて設定出力電力を導くための、ネットワークノード１１５の例示的な方法３００を示す。方法はステップ３０２で始まり、そこでは、ネットワークノード１１５は、第１キャリア（Ｆ１）上の第１セル（ｃｅｌｌ１）と無線デバイス１１０との間の第１信号（Ｓ１）を動作させるために使用される第１ＴＴＩ（ＴＴＩ１）と、第１キャリア（Ｆ１）上の第１セル（ｃｅｌｌ１）との間の第２信号（Ｓ２）を動作させるために使用される第２ＴＴＩ（ＴＴＩ２）と、を含むＴＴＩ設定（ＴＴＩ−ＣＯＮＦ）で無線デバイスを決定し、ＴＴＩ−ＣＯＮＦが、時間において互いに重なり合わない隣り合うＴＴＩ１とＴＴＩ２とを含む第１ＴＴＩ設定（ＣＯＮＦ１）と、時間において互いに少なくとも部分的に重なり合う隣り合うＴＴＩ１とＴＴＩ２とを含む第２ＴＴＩ設定（ＣＯＮＦ２）と、のうちのいずれかである。ＴＴＩ設定（ＴＴＩ−ＣＯＮＦ）は、メッセージ、例えばＲＲＣメッセージをＵＥに送信することによって行われてもよい。  ネットワークノード１１５は、次いで、決定されたＴＴＩ設定に基づいて無線デバイス１１０を設定してもよい。
【０１１３】
ＴＴＩ−ＣＯＮＦはさらに、少なくとも２つのＴＴＩ設定のうちのいずれかひとつを含んでもよい：
−時間において互いに重なり合わない隣り合うまたは連続するＴＴＩ１とＴＴＩ２とを含む第１ＴＴＩ設定（ＣＯＮＦ１）、および
−時間において互いに少なくとも部分的に重なり合う隣り合うまたは連続するＴＴＩ１とＴＴＩ２とを含む第２ＴＴＩ設定（ＣＯＮＦ２）。
【０１１４】
セクション５．３．１（ＵＥの実施の形態）で与えられるＣＯＮＦ１およびＣＯＮＦ２の例はまた、ネットワークノード１１５にも適用可能である。
【０１１５】
ひとつ以上の実施の形態では、ネットワークノード１１５は、ＴＴＩ１およびＴＴＩ２の値を決定してもよく、または、ＴＴＩおよびＴＴＩ２を設定する必要性、すなわち特定の値、を決定してもよい。ネットワークノード１１５は例えば、以下の原則のうちの１つまたは複数に基づいて、ＴＴＩ１およびＴＴＩ２の値を決定することができる：
−無線デバイスは２つ以上の異なるＴＴＩ、例えば、ＴＴＩ＝１ｍｓおよびＴＴＩ＝０．１４ｍｓ、をサポートするか否かという無線デバイスの能力。
−無線デバイスに要求されるビットレート。
−無線デバイス１１０とネットワークノード１１５との間でデータパケットを運ぶために必要とされる往復時間（ＲＴＴ）、例えば、より短いＲＴＴが必要とされる場合には、より短いＴＴＩが使用される。
−サービングセルに対する無線デバイスの位置。例えば、無線デバイスがサービングセルに近い場合、例えば、無線デバイス１１０がｃｅｌｌ１を担当するネットワークノードに近い場合、より短いＴＴＩが使用される。
【０１１６】
ネットワークノード１１５は、無線デバイス１１０をＣＯＮＦ１で設定するかＣＯＮＦ２で設定するかを決定してもよい。ネットワークノード１１５は、ｃｅｌｌ１において信号を動作させるために、無線デバイス１１０をＣＯＮＦ１で設定するかＣＯＮＦ２で設定するかを、以下のメカニズムのうちのいずれかに基づいて、決定してもよい：
−無線デバイス１１０の送信器特性、例えば、より低い放射またはＴＴＩ１とＴＴＩ２との間のより低い干渉を導くＴＴＩ−ＣＯＮＦ。
−ｃｅｌｌ１において無線デバイス１１０から信号を受信するためのネットワークノード１１５の受信器における期待されるまたはターゲットの信号品質。
−ネットワークノード１１５が、ＵＬ信号品質を推定し、それをスケジューリングのために用いるためにＤＭＲＳを使用したいか否か。
−無線デバイス１１０のカバレッジ、例えば、ＵＥとｃｅｌｌ１を担当する基地局との間の経路損失。
−無線デバイスの電力クラス、例えば、最大出力電力（例えば、２３ｄＢｍ）。
−展開シナリオ、例えば、セルサイズやセル範囲など。
−アップリンクビットレートまたはスループット、例えば、より良いスループットを導くＴＴＩ−ＣＯＮＦがネットワークノードによって用いられる。
−ネットワークノード１１５によって用いられるＴＴＩ−ＣＯＮＦの履歴または統計。
【０１１７】
ひとつ以上の実施の形態では、無線デバイス１１０は、ＴＴＩ設定を用いることによって、本明細書に記載されるように、ＴＴＩ１およびＴＴＩ２の設定値に基づいて、２つ以上の連続ＴＴＩ（ＴＴＩ１およびＴＴＩ２）についての無線デバイスの最大出力電力パラメータ（Ｐ１）を決定する。パラメータＰ１は２つ以上の連続ＴＴＩについてｃｅｌｌ１においてＵＬ信号を送信するために、無線デバイス１１０によって使用される：ＴＴＩ１およびＴＴＩ２。
【０１１８】
無線デバイス１１０は、ＴＴＩと最大出力電力パラメータとの間の関係またはマッピングに基づいて、Ｐ１の値を決定することができる。マッピングは、少なくとも２つのＴＴＩと、最大出力電力の対応する値を推定するためのウインドウ（Ｔｗ）の対応する２つの値と、を含む。無線デバイス１１０は、図１１のステップ６０２に関して説明したのと同じ原理を使用して、Ｐ１の値を決定することができる。
【０１１９】
ステップ３０４で、ネットワークノード１１５は、第１ＴＴＩにおいて第１信号を受信し、かつ、第２ＴＴＩにおいて第２信号を受信し、第１ＴＴＩおよび第２ＴＴＩが最大出力電力パラメータに基づいて送信されたものであり、単一の最大出力電力パラメータがＴＴＩ設定に基づくものである。ひとつ以上の実施の形態では、ネットワークノード１１５は、決定された最大出力電力パラメータ（Ｐ１）に基づいて無線デバイス１１０から、第１セルにおいて第１信号を受信し、これはＴＴＩ−ＣＯＮＦにしたがう２つ（またはより多く）の連続ＴＴＩでのｃｅｌｌ１における決定された受信信号Ｓ１およびＳ２（またはより多くの信号）に基づくものである。ネットワークノード１１５はさらに、２つ以上の連続ＴＴＩのＰ１の値に基づいて、その受信器設定を適合させてもよい。例えば、セル１に信号を送信するために無線デバイス１１０によって使用されるＰ１が閾値（例えば、３００μｓ）よりも小さい時間ウインドウにわたって無線デバイス１１０によって推定される場合、ネットワークノード１１５はＳ１を受信するために、よりロバストな受信器を使用することができる。しかしながら、セル１に信号を送信するために無線デバイス１１０によって使用されるＰ１の値が閾値（例えば、３００μｓ）よりも小さくない時間ウインドウにわたって無線デバイス１１０によって推定される場合、ネットワークノード１１５はＳ１を受信するために、よりロバストでない受信器を使用することができる。よりロバストな受信器は、よりロバストでない受信器と比較して、より効果的に干渉を緩和する。しかしながら、前者の受信器（よりロバスト）は後者の受信器タイプと比較して、より多くの電力を消費し、より多くの処理および複雑な動作を必要とし得る。
【０１２０】
受信器タイプの適合は、ネットワークノードが、無線デバイスカバレッジを強化することを可能とする。
【０１２１】
ある実施の形態では、ネットワークノード１１５は、ひとつ以上の動作タスクのために、受信信号および／または決定されたＰ１の値を使用する。動作タスクの例は以下の通りである：
−ネットワークノード１１５において無線測定を実行することと、
−セル１においてＤＬでおよび／またはＵでＵＥのＴＴＩを適応させることと、
−異なる時間リソースにおいてセル１においてＵＥのＴＴＩを適応させることと、
−セル１におけるＵＥの電力制御動作、
−Ｐ１および／またはＴｗの決定された値に関する情報を他のノードに送信すること。
【０１２２】
特定の実施の形態では、上述のように短縮ＴＴＩパターンにおける連続ＴＴＩについて設定出力電力を導出する方法は仮想コンピューティングデバイスによって実行されてもよい。図１６は、特定の実施の形態による、短縮ＴＴＩパターンにおける連続ＴＴＩについて設定出力電力を導くための例示的な仮想コンピューティングデバイス４００を示す。いくつかの実施の形態では、仮想コンピューティングデバイス４００は図１５に示し説明した方法に関して上述したものと同様のステップを実行するためのモジュールを含むことができる。例えば、仮想コンピューティングデバイス４００は、少なくとも１つの設定モジュールと、少なくとも１つの決定モジュール４２０と、少なくとも１つの受信モジュール４３０と、短縮ＴＴＩパターンの連続するＴＴＩについて設定出力電力を導出するための任意の他の適切なモジュールと、を含むことができる。いくつかの実施の形態では、モジュールのうちの１つまたは複数は図１４の１つまたは複数のプロセッサ２２０を使用して実装することができる。特定の実施の形態では、様々なモジュールのうちの２つ以上の機能は単一のモジュールに組み入れられてもよい。
【０１２３】
決定モジュール４２０は、仮想計算デバイス４００の決定機能を行ってもよい。例えば、特定の実施の形態では、決定モジュール４２０は、図１５のステップ３０２にしたがう機能を実行してもよい。
【０１２４】
ひとつ以上の実施の形態では、仮想コンピューティングデバイス４００は、本明細書で説明されるように、決定されたＴＴＩ設定に基づいて無線デバイス１１０を設定することを行いうる設定モジュールを含む。
【０１２５】
受信モジュール４３０は、仮想計算デバイス４００の受信機能を行ってもよい。例えば、特定の実施の形態では、受信モジュール４３０は、図１５のステップ３０４にしたがう機能を実行してもよい。
【０１２６】
ある実施の形態では、仮想コンピューティングデバイス４００は、ひとつ以上の動作タスクのために、受信信号および／または決定されたＰ１の値を使用するよう構成される。
【０１２７】
仮想計算デバイス４００の他の実施の形態は、無線ノードの機能のある側面を提供することの責を負う、図１６に示されるものを超える追加的なコンポーネントを含んでもよく、そのような機能は上述の機能のいずれかおよび／または追加的な機能（上述の解をサポートするのに必要な機能を含む）を含む。種々の異なるタイプの無線デバイス１１０およびネットワークノード１１５は、同じ物理的なハードウエアを有するが異なる無線アクセス技術をサポートするよう（例えば、プログラミングを介して）構成されたコンポーネントを含んでもよく、または部分的にまたは完全に異なる物理的コンポーネントを表してもよい。
【０１２８】
本開示の範囲から逸脱することなく、本明細書に開示されるシステムおよび装置に対する変更、追加または省略を行うことができる。システムおよび装置のコンポーネントは統合されてもよいし、分離されてもよい。さらに、システムおよび装置の動作はより多くの、より少ない、または他のコンポーネントによって行われてもよい。加えて、システムおよび装置の動作は、ソフトウエア、ハードウエアおよび／または他のロジックを含む任意の適切なロジックを用いて行われてもよい。本開示で用いられる場合、「各」は集合の各メンバ、または集合の部分集合の各メンバを指す。
【０１２９】
本開示の範囲から逸脱することなく、本明細書に記載される方法に対する変更、追加または省略を行うことができる。方法はより多くの、より少ない、または他のステップを含んでもよい。加えて、ステップは任意の適切な順序で行われてもよい。
【０１３０】
本開示を所定の実施の形態で説明したが、実施の形態の変更や置換は当業者には明らかであろう。したがって、実施の形態の上述の記載は本開示を制限するものではない。説明された実施の形態により定義される、本開示の範囲から逸脱することなく、他の変形、代替および変更が可能である。
【０１３１】
ある実施の形態
本開示のある態様によると、ネットワークノード１１５が提供される。ネットワークノード１１５は回路を含む。回路は、送信時間間隔、ＴＴＩ、設定を決定することであって、前記ＴＴＩ設定が、第１キャリア上の第１セルと無線デバイス１１０との間の第１信号を動作させるための第１ＴＴＩと、前記第１キャリア上の前記第１セルと前記無線デバイス１１０との間の第２信号を動作させるための第２ＴＴＩと、を含み、前記ＴＴＩ設定が以下のいずれかを含む、決定することを行うよう構成される：時間において互いに重なり合わない前記第２ＴＴＩの隣の前記第１ＴＴＩ；および時間において互いに少なくとも部分的に重なり合う前記第２ＴＴＩの隣の前記第１ＴＴＩ。回路はさらに、前記第１ＴＴＩにおいて前記第１信号を受信し、かつ、前記第２ＴＴＩにおいて前記第２信号を受信するよう構成され、前記第１ＴＴＩおよび前記第２ＴＴＩが最大出力電力パラメータに基づいて送信されたものであり、前記単一の最大出力電力パラメータが前記ＴＴＩ設定に基づくものである。
【０１３２】
本態様のある実施の形態によると、前記第１ＴＴＩおよび前記第２ＴＴＩが異なる時間長を有する。本態様のある実施の形態によると、前記単一の最大出力電力パラメータが第１ＴＴＩの時間長および第２ＴＴＩの時間長に基づくものである。本態様のある実施の形態によると、前記第１ＴＴＩおよび前記第２ＴＴＩはそれぞれ１ｍｓより小さい短縮ＴＴＩであり、それらはサブフレームに含まれ、前記サブフレームは各スロットが０．５ｍｓである二つのスロットを有する。
【０１３３】
本態様のある実施の形態によると、前記第１ＴＴＩが前記第２ＴＴＩに時間的に後続する。本態様のある実施の形態によると、前記第１ＴＴＩおよび前記第２ＴＴＩが共通の復調参照信号、ＤＭＲＳ、を有する。本態様のある実施の形態によると、前記第１ＴＴＩは、２つの直交周波数分割多重（ＯＦＤＭ）シンボルと３つのＯＦＤＭシンボルと４つのＯＦＤＭシンボルと７つのＯＦＤＭシンボルとからなるグループからとられたひとつを含む。
【０１３４】
本開示のある態様によると、ネットワークノード１１５の方法が提供される。送信時間間隔、ＴＴＩ、設定が決定される。前記ＴＴＩ設定が、第１キャリア上の第１セルと無線デバイス１１０との間の第１信号を動作させるための第１ＴＴＩと、前記第１キャリア上の前記第１セルと前記無線デバイス１１０との間の第２信号を動作させるための第２ＴＴＩと、を含み、前記ＴＴＩ設定が以下のいずれかを含む：時間において互いに重なり合わない前記第２ＴＴＩの隣の前記第１ＴＴＩ；および時間において互いに少なくとも部分的に重なり合う前記第２ＴＴＩの隣の前記第１ＴＴＩ。前記第１ＴＴＩにおいて前記第１信号が受信され、かつ、前記第２ＴＴＩにおいて前記第２信号が受信され、前記第１ＴＴＩおよび前記第２ＴＴＩが最大出力電力を用いて送信されたものであり、前記最大出力電力が前記ＴＴＩ設定に基づくものである。
【０１３５】
本態様のある実施の形態によると、前記第１ＴＴＩおよび前記第２ＴＴＩが異なる時間長を有する。本態様のある実施の形態によると、前記最大出力電力が第１ＴＴＩの時間長および第２ＴＴＩの時間長に基づくものである。本態様のある実施の形態によると、前記第１ＴＴＩおよび前記第２ＴＴＩはそれぞれ１ｍｓより小さい短縮ＴＴＩであり、それらはサブフレームに含まれ、前記サブフレームは各スロットが０．５ｍｓである二つのスロットを有する。
【０１３６】
本態様のある実施の形態によると、前記第１ＴＴＩが前記第２ＴＴＩに時間的に後続する。本態様のある実施の形態によると、前記第１ＴＴＩおよび前記第２ＴＴＩが共通の復調参照信号、ＤＭＲＳ、を有する。本態様のある実施の形態によると、前記第１ＴＴＩは、２つの直交周波数分割多重（ＯＦＤＭ）シンボルと３つのＯＦＤＭシンボルと４つのＯＦＤＭシンボルと７つのＯＦＤＭシンボルとからなるグループからとられたひとつを含む。
本開示のある態様によると、回路を含む無線デバイス１１０が提供される。回路は、少なくとも２つの送信時間間隔、ＴＴＩ、においてＴＴＩ設定に基づいて信号を送信するために用いられるべき単一の最大出力電力パラメータを決定するよう構成され、前記ＴＴＩ設定が、第１キャリア上の第１セルと無線デバイス１１０との間の第１信号を動作させるための第１ＴＴＩと、前記第１キャリア上の前記第１セルと前記無線デバイス１１０との間の第２信号を動作させるための第２ＴＴＩと、を含み、前記ＴＴＩ設定が以下のいずれかを含む：時間において互いに重なり合わない前記第２ＴＴＩの隣の前記第１ＴＴＩ；および時間において互いに少なくとも部分的に重なり合う前記第２ＴＴＩの隣の前記第１ＴＴＩ。回路はさらに、決定された前記単一の最大出力電力パラメータを用いて、前記第１ＴＴＩにおいて前記第１信号を送信し、前記第２ＴＴＩにおいて前記第２信号を送信するよう構成される。
【０１３７】
本態様のある実施の形態によると、前記単一の最大出力電力パラメータが第１ＴＴＩの時間長および第２ＴＴＩの時間長に基づくものである。本態様のある実施の形態によると、前記第１ＴＴＩおよび前記第２ＴＴＩが異なる時間長を有する。本態様のある実施の形態によると、前記第１ＴＴＩおよび前記第２ＴＴＩはそれぞれ１ｍｓより小さい短縮ＴＴＩであり、それらはサブフレームに含まれ、前記サブフレームは各スロットが０．５ｍｓである二つのスロットを有する。
【０１３８】
本態様のある実施の形態によると、前記第１ＴＴＩが前記第２ＴＴＩに時間的に後続する。本態様のある実施の形態によると、前記第１ＴＴＩおよび前記第２ＴＴＩが共通の復調参照信号、ＤＭＲＳ、を有する。本態様のある実施の形態によると、前記第１ＴＴＩは、２つの直交周波数分割多重（ＯＦＤＭ）シンボルと３つのＯＦＤＭシンボルと４つのＯＦＤＭシンボルと７つのＯＦＤＭシンボルとからなるグループからとられたひとつを含む。
【０１３９】
本開示のある態様によると、無線デバイス１１０の方法が提供される。少なくとも２つの送信時間間隔、ＴＴＩ、においてＴＴＩ設定に基づいて信号を送信するために用いられるべき単一の最大出力電力パラメータが決定される。前記ＴＴＩ設定が、第１キャリア上の第１セルと無線デバイス１１０との間の第１信号を動作させるための第１ＴＴＩと、前記第１キャリア上の前記第１セルと前記無線デバイス１１０との間の第２信号を動作させるための第２ＴＴＩと、を含み、前記ＴＴＩ設定が以下のいずれかを含む：時間において互いに重なり合わない前記第２ＴＴＩの隣の前記第１ＴＴＩ；および時間において互いに少なくとも部分的に重なり合う前記第２ＴＴＩの隣の前記第１ＴＴＩ。決定された前記単一の最大出力電力パラメータを用いて、前記第１ＴＴＩにおいて前記第１信号が送信され、前記第２ＴＴＩにおいて前記第２信号が送信される。
【０１４０】
本態様のある実施の形態によると、前記単一の最大出力電力パラメータが第１ＴＴＩの時間長および第２ＴＴＩの時間長に基づくものである。本態様のある実施の形態によると、前記第１ＴＴＩおよび前記第２ＴＴＩが異なる時間長を有する。本態様のある実施の形態によると、前記第１ＴＴＩおよび前記第２ＴＴＩはそれぞれ１ｍｓより小さい短縮ＴＴＩであり、それらはサブフレームに含まれ、前記サブフレームは各スロットが０．５ｍｓである二つのスロットを有する。本態様のある実施の形態によると、前記第１ＴＴＩが前記第２ＴＴＩに時間的に後続する。 
【０１４１】
本態様のある実施の形態によると、前記第１ＴＴＩおよび前記第２ＴＴＩが共通の復調参照信号、ＤＭＲＳ、を有する。本態様のある実施の形態によると、前記第１ＴＴＩは、２つの直交周波数分割多重（ＯＦＤＭ）シンボルと３つのＯＦＤＭシンボルと４つのＯＦＤＭシンボルと７つのＯＦＤＭシンボルとからなるグループからとられたひとつを含む。
【０１４２】
本開示のある態様によると、ネットワークノード１１５が提供される。ネットワークノード１１５は、送信時間間隔、ＴＴＩ、設定を決定するよう構成された決定モジュールを含む。前記ＴＴＩ設定が、第１キャリア上の第１セルと無線デバイス１１０との間の第１信号を動作させるための第１ＴＴＩと、前記第１キャリア上の前記第１セルと前記無線デバイス１１０との間の第２信号を動作させるための第２ＴＴＩと、を含み、前記ＴＴＩ設定が以下のいずれかを含む：時間において互いに重なり合わない前記第２ＴＴＩの隣の前記第１ＴＴＩ；および時間において互いに少なくとも部分的に重なり合う前記第２ＴＴＩの隣の前記第１ＴＴＩ。ネットワークノード１１５は、前記第１ＴＴＩにおいて前記第１信号を受信し、かつ、前記第２ＴＴＩにおいて前記第２信号を受信するよう構成された受信モジュールであって、前記第１ＴＴＩおよび前記第２ＴＴＩが最大出力電力パラメータに基づいて送信されたものであり、前記単一の最大出力電力パラメータが前記ＴＴＩ設定に基づくものである、受信モジュールを含む。
【０１４３】
本開示のある態様によると、無線デバイス１１０が提供される。無線デバイス１１０は、少なくとも２つの送信時間間隔、ＴＴＩ、においてＴＴＩ設定に基づいて信号を送信するために用いられるべき単一の最大出力電力パラメータを決定するよう構成された電力決定モジュールを含む。前記ＴＴＩ設定が、第１キャリア上の第１セルと無線デバイス１１０との間の第１信号を動作させるための第１ＴＴＩと、前記第１キャリア上の前記第１セルと前記無線デバイス１１０との間の第２信号を動作させるための第２ＴＴＩと、を含み、前記ＴＴＩ設定が以下のいずれかを含む：時間において互いに重なり合わない前記第２ＴＴＩの隣の前記第１ＴＴＩ；および時間において互いに少なくとも部分的に重なり合う前記第２ＴＴＩの隣の前記第１ＴＴＩ。無線デバイス１１０は、決定された前記単一の最大出力電力パラメータを用いて、前記第１ＴＴＩにおいて前記第１信号を送信し、前記第２ＴＴＩにおいて前記第２信号を送信するよう構成された送信モジュールを含む。
【０１４４】
以下の略語のうちの少なくともいくつかが本開示で使用されてもよい。
１ｘ  ＲＴＴ  ＣＤＭＡ２０００  １ｘ  無線送信技術
３ＧＰＰ  第三世代パートナーシッププロジェクト
ＡＢＳ  ほぼブランクのサブフレーム
ＡＲＱ  自動繰り返し要求
ＡＷＧＮ  追加白色ガウシアンノイズ
ＢＣＣＨ  報知制御チャネル
ＢＣＨ  報知チャネル
ＢＳ  基地局
ＣＡ  キャリアアグリゲーション
ＣＣ  キャリアコンポーネント
ＣＣＣＨ  ＳＤＵ  共通制御チャネルＳＤＵ
ＣＤＭＡ  符号分割多重アクセス
ＣＧＩ  セルグローバル識別子
ＣＰ  サイクリックプレフィックス
ＣＰＩＣＨ  共通パイロットチャネル
ＣＰＩＣＨ  Ｅｃ／Ｎｏ  帯域内の電力密度で除した、チップごとのＣＰＩＣＨ受信エネルギ
ＣＱＩ  チャネル品質情報
Ｃ−ＲＮＴＩ  セルＲＮＴＩ
ＣＳＩ  チャネル状態情報
ＤＣＣＨ  専用制御チャネル
ＤＬ  ダウンリンク
ＤＲＸ  不連続受信
ＤＴＸ  不連続送信
ＤＴＣＨ  専用トラフィックチャネル
ＤＵＴ  テスト中のデバイス
ＤｗＰＴＳ  ダウンリンクパイロットタイムスロット
Ｅ−ＣＩＤ  エンハンストセルＩＤ（位置決め方法）
ＥＣＧＩ  エバルブドＣＧＩ
ｅＮＢ  Ｅ−ＵＴＲＡＮノードＢ
ｅＰＤＣＣＨ  エンハンスト物理ダウンリンク制御チャネル
Ｅ−ＳＭＬＣ  エバルブドサービングモバイルロケーションセンタ
Ｅ−ＵＴＲＡ  エバルブドＵＴＲＡ
Ｅ−ＵＴＲＡＮ  エバルブドＵＴＲＡＮ
ＦＤＤ  周波数分割複信
ＦＤＭ  周波数分割多重
ＧＥＲＡＮ  ＧＳＭ  ＥＤＧＥ無線アクセスネットワーク
ｇＮＢ  次世代ｅＮＢ
ＧＰ  ガード期間
ＧＳＭ  グローバルシステムフォーモバイルコミュニケーション
ＨＡＲＱ  ハイブリッド自動繰り返し要求
ＨＯ  ハンドオーバ
ＨＳＰＡ  高速パケットアクセス
ＨＲＰＤ  高レートパケットデータ
ＩＤ  識別子
ＬＰＰ  ＬＴＥ位置決めプロトコル
ＬＴＥ  ロングタームエボリューション
ＭＡＣ  メディアアクセスコントロール
ＭＢＭＳ  マルチメディア報知マルチキャストサービス
ＭＢＳＦＮ  マルチメディア報知マルチキャストサービス単一周波数ネットワーク
ＭＢＳＦＮ  ＡＢＳ  ＭＢＳＦＮほぼブランクのサブフレーム
ＭＤＴ  ドライブテストの最小化
ＭＩＢ  マスタ情報ブロック
ＭＭＥ  モビリティマネジメントエンティティ
ＭＳＣ  モバイルスイッチングセンタ
ＮＰＤＣＣＨ  狭帯域物理ダウンリンク制御チャネル
ＮＲ  新たな無線
ＯＣＮＧ  ＯＦＤＭＡチャネルノイズ生成器
ＯＦＤＭ  直交周波数分割多重
ＯＦＤＭＡ  直交周波数分割複数アクセス
ＯＳＳ  オペレーションサポートシステム
ＯＴＤＯＡ  観測された到着時間差
Ｏ＆Ｍ  オペレーションおよびメンテナンス
ＰＢＣＨ  物理報知チャネル
Ｐ−ＣＣＰＣＨ  プライマリ共通制御物理チャネル
ＰＣｅｌｌ  プライマリセル
ＰＣＦＩＣＨ  物理制御フォーマットインジケータチャネル
ＰＤＣＣＨ  物理ダウンリンクコントロールチャネル
ＰＤＳＣＨ  物理ダウンリンク共有チャネル
ＰＧＷ  パケットゲートウエイ
ＰＨＩＣＨ  物理ハイブリッドＡＲＱインジケータチャネル
ＰＬＭＮ  公衆陸上モバイルネットワーク
ＰＭＩ  プレコーダマトリクスインジケータ
ＰＲＡＣＨ  物理ランダムアクセスチャネル
ＰＲＳ  位置決め参照信号
ＰＵＣＣＨ  物理アップリンク制御チャネル
ＰＤＳＣＨ  物理ダウンリンク共有チャネル
ＲＡＴ  無線アクセス技術
ＲＢ  リソースブロック
ＲＦ  無線周波数
ＲＬＭ  無線リンク管理
ＲＲＣ  無線リソースコントロール
ＲＳＣＰ  受信信号符号電力
ＲＳＲＰ  参照シンボル受信電力
ＲＳＲＱ  参照シンボル受信品質
ＲＳＳＩ  受信信号強度インジケータ
ＲＳＴＤ  参照信号時間差
ＲＴＴ  往復時間
Ｒｘ  受信
ＱＡＭ  直交振幅変調
ＲＡＣＨ  ランダムアクセスチャネル
ＲＡＴ  無線アクセス技術
ＲＮＣ  無線ネットワークコントローラ
ＲＮＴＩ  無線ネットワーク一時的識別子
ＲＲＣ  無線リソースコントロール
ＲＲＭ  無線リソース管理
ＳＣＨ  同期チャネル
ＳＣｅｌｌ  セカンダリセル
ＳＤＵ  サービスデータユニット
ＳＦＮ  システムフレーム番号
ＳＧＷ  サービングゲートウエイ
ＳＩ  システム情報
ＳＩＢ  システム情報ブロック
ＳＩＮＲ  信号対干渉およびノイズ比
ＳＮＲ  信号対ノイズ比
ＳＯＮ  自己最適化ネットワーク
ＴＤＤ  時分割複信
ＴＡ  タイミングアドバンス
ＴＤＭ  時分割多重
ＴＯＡ  到着時間
ＴＴＩ  送信時間間隔
Ｔｘ  送信
ＵＥ  ユーザ装置
ＵＬ  アップリンク
ＵＭＴＳ  ユニバーサルモバイルテレコミュニケーションシステム
ＵｐＰＴＳ  アップリンクパイロット時間スロット
ＵＴＲＡ  ユニバーサルテレストリアル無線アクセス
ＵＴＲＡＮ  ユニバーサルテレストリアル無線アクセスネットワーク
ＷＣＤＭＡ  ワイドＣＤＭＡ
ＷＬＡＮ  ワイドローカルエリアネットワーク
【図１】
0006756042.tif 000016
【図２】
0006756042.tif 000017
【図３】
0006756042.tif 000018
【図４】
0006756042.tif 000019
【図５】
0006756042.tif 000020
【図６】
0006756042.tif 000021
【図７】
0006756042.tif 000022
【図８】
0006756042.tif 000023
【図９】
0006756042.tif 000024
【図１０】
0006756042.tif 000025
【図１１】
0006756042.tif 000026
【図１２Ａ】
0006756042.tif 000027
【図１２Ｂ】
0006756042.tif 000028
【図１２Ｃ】
0006756042.tif 000029
【図１３】
0006756042.tif 000030
【図１４】
0006756042.tif 000031
【図１５】
0006756042.tif 000032
【図１６】
0006756042.tif 000033